(57)【要約】【課題】オキアミの通し性、釣り糸の出糸の固定性、オキアミの固定性、掛かり性、新しい結合方式・オキアミの取付使用方法開発。【解決手段】従来より余分に１箇所以上、且つ、軸３部に結合穴３０を新たに設け、その結合穴３０と、従来各種の耳２、及び、軸３を捲回しない多種の新結合方法を組み合わせる事で、オキアミに関する通し性・固定性に優れ、掛かり性にも優れた多彩な釣り針と、オキアミの新取付・使用方法が開発できた。【選択図】図１
2006094843.tif 000002
【特許請求の範囲】
【請求項１】
専用釣り餌として前処理したオキアミ２５・２７を、通し刺しにして使用する為に、軸３から魚に刺さる針先７までの距離としてのフトコロ８が１箇所であり、且つ全体的に、錘部や刺し針・保持軸等の付加軸や軸３の折り返し部等の、通し刺しに対する障害部位を持たず、且つ軸３端部を潰して幅を広くして、フトコロ８に面したその略平面部に、通し穴を持たない撞木の耳２ａや丸耳２ｂ、又は、軸３端部を潰したり除去加工した略平面に、フトコロ８側から正面視した場合に、通し穴を持つ穴サラエの耳２ｃ、又は、軸３端を曲げて略円環部にし、その穴又は略穴を、フトコロ８側に面して持つ管付の耳２ｄ等の、耳２のいずれかを必ず軸３端部に備え、且つこれらの成形・加工した耳２、或いは、別作し、軸３部にて接合して同様の形状に構成した耳２と腰曲がり４の間の軸３部、又は、該耳２とフトコロ８間の軸３部に、フトコロ８及び腰曲がり４−先曲がり５間の湾曲部で構成する平面に略直交で、及び、又は、その平面に略平行で、両開口部が面取り（曲面含む）３１を施された通しの結合穴３０（穴の径方向断面が、円・楕円・接線で連結した円・略４角等を含み、穴の軸方向断面積が変化するものも含む）を、少なくとも１箇所以上（軸３端の該耳２に、穴や略穴等を持つ場合には、穴の合計数としては２箇所以上）設けた事を特徴とする釣り針、その製造方法、その釣り針を結合穴３０への釣り糸１０（モノフィラメント・編み糸・金属撚り線等含む）の挿通をして結合した仕掛け、その釣り糸１０との結合方法、及び、その仕掛けに、解凍した生オキアミ、又はボイルオキアミの、少なくとも尻尾（尾節２０ｈ・副棘２０ｉ・尾肢２０ｊ）部分の全部と、その近傍の腹節２０ｎの少なくとも一部を、取り去った残りの腹節２０ｎと一連の頭胸部２０ｆ（眼２０ａ・鰓２０ｄ・胸脚２０ｍ等を含む）で構成する、略通し刺しが可能な寸法・部位であり、該釣り針の耳２−先曲がり４間の経路の長さ以下である、適切な長さのオキアミ２５、又は、該頭胸部２０ｆも取り去った残りの腹部（腹節２０ｎの集まり）である、該適切な長さのオキアミ２７を、最後の１個より先に、該釣り針に通し刺しした該オキアミは、一旦該耳２（２ａ・２ｂ・２ｃ・２ｄ）を越えて、釣り糸１０の本線迄達する様に仮置きし、且つ最後に針先７に通し刺し、又は、縫い刺しした１個の最終部が該釣り針の腰曲がり４部迄達する様に、取り付け途中で釣り針の支持部位を持ち替えて通じて、且つ最後の１個より先に通じて該仮置きしたオキアミ２５・２７は引き降ろして、該釣り針の耳２−腰曲がり４間、及び該釣り針との釣り糸１０の結合部１５全部、及び近傍の仕掛けの少なくとも一部を、２個以上直列のオキアミ２５、及び、又は、オキアミ２７で覆い隠す様に通して取り付ける使用方法
【請求項２】
フトコロ８側から正面視した場合に、軸３から耳２（２ａ・２ｂ・２ｄ）の端部Ｇに向かう方向に直交する、該耳２の幅が、該耳２の直近の軸３径Ｄ（円でない異形の場合、その最大径）より３０％大きくなった該軸３側位置Ｊから、又は、穴サラエの耳２ｃにあっては、その耳２ｃの穴（異形含む）が該軸３に最も近接した位置Ｋから、耳２の端部Ｇまでの、伸長する方向の長さとするＬを、該軸３径Ｄの４倍を超える長さとした、及び、該略平面を持つ耳２（２ａ・２ｂ・２ｃ）端部Ｇ側に、該耳２のＧ側厚みの値よりも、その半径値Ｒの値が大きな曲げを施した、又は、同じく同Ｒの絞り加工曲面部Ｑを設けた事を追加特徴とする請求項１に記載の釣り針、その製造方法、その仕掛け、その釣り糸１０との結合方法、及び、その仕掛けにオキアミ２５・２７を取り付ける請求項１に記載の使用方法
【請求項３】
結合穴３０を開ける部分となる軸３径Ｄａを、予め耳２側軸３の、及び腰曲がり４側軸３の径Ｄよりも、その断面が相似形状で且つ外形が略平行に、少なくとも部分的に大きくした、及び、腰曲がり４側からその軸３径の部分拡大部Ｄａへは、軸３の耳２側への伸長方向に沿って、その断面積が暫増する形状とした事を追加特徴とする請求項１，２に記載の釣り針、その製造方法、その仕掛け、その釣り糸１０との結合方法、及び、その仕掛けにオキアミ２５・２７を取り付ける請求項１に記載の使用方法
【請求項４】
結合穴３０を開けた部分の軸３径Ｄａが、フトコロ８と腰曲がり４−先曲がり５の湾曲部で構成する平面に略直交する方向から、凹球面又は凹円筒面形状に、押圧変形（プレス）で潰して、釣り針の側面から正面視した際の、結合穴３０付近以外の軸３径Ｄよりも、部分的に大きくした事を追加特徴とする請求項１，２，３に記載の釣り針、その製造方法、その仕掛け、その釣り糸１０との結合方法、及び、その仕掛けにオキアミ２５・２７を取り付ける請求項１に記載の使用方法
【請求項５】
軸３を耳２側を上にして略垂直に立てた状態で、軸３に設けた結合穴３０を正面視した場合に、該結合穴３０の略面積中心を通る水平軸と、それに直交して該中心を通る垂直軸に対して、水平軸よりも上側の２象限の面取り３１の大きさを、水平軸より下の２象限の面取り３１の大きさよりも、少なくとも部分的に大きくした事を追加特徴とする請求項１，２，３，４に記載の釣り針、その製造方法、その仕掛け、その釣り糸１０との結合方法、及び、その仕掛けにオキアミ２５・２７を取り付ける請求項１に記載の使用方法
【請求項６】
軸３を耳２側を上にして略垂直に立てた状態で、軸３に設けた結合穴３０を正面視した場合に、該結合穴３０と対にして、その断面積が、該結合穴３０の縁からの距離に略反比例する、釣り糸１０の結合穴側案内溝３３を、略上向き（略耳２方向）に向けて設けた事を追加特徴とする、請求項１，２，３，４，５に記載の釣り針、その製造方法、その仕掛け、その釣り糸１０との結合方法、及び、その仕掛けにオキアミ２５・２７を取り付ける請求項１に記載の使用方法
【請求項７】
軸３に設けた、フトコロ８と腰曲がり４−先曲がり５間の湾曲部で構成する平面に略平行方向の、少なくとも１箇所の結合穴３０の、その２箇所の開口部の内、少なくとも１箇所に、適用する釣り糸１０直径の４倍以上の直径で、且つ深さはその最大値となる軸３の稜部で、該釣り糸１０糸直径の１／２以上となる、略円筒状の座ぐりＮを設けた事を追加特徴とする請求項１，２，３，４，５，６に記載の釣り針、その製造方法、その仕掛け、その釣り糸１０との結合方法、及び、その仕掛けにオキアミ２５・２７を取り付ける請求項１に記載の使用方法
【請求項８】
軸３に設けた結合穴３０と対として、軸３のフトコロ８側、又は、フトコロ８と反対側で、且つ、該結合穴３０を設けた位置よりも耳２側に、部分的な略凹球面、又は、略凹円筒面、又は、凹曲円筒面状の座Ｍを設けた事を追加特徴とする請求項１，２，３，４，５，６に記載の釣り針、その製造方法、その仕掛け、その釣り糸１０との結合方法、及び、その仕掛けにオキアミ２５・２７を取り付ける請求項１に記載の使用方法
【請求項９】
軸３端に設けた、耳２ｄを構成する線径を、耳２直近の軸３径Ｄよりも小さくし、且つ、その耳２の最大構成面に直交する方向から正面視した場合の形状を、全体的に、軸３から耳２ｄ端部Ｇに向かう方向の距離が、その直交方向より大きい略三角形・略扇形・略楕円形・略連結円形のいずれか、又は、その組合わせとした、及び、端部Ｇ側を部分的に、その最大構成面に略平行（厚み）方向に且つフトコロ８側にその凹部が向くように曲げたり、該Ｇ側の耳２ｄの角度Ｔａが、該最大構成面と直近の軸３が為す角度Ｔよりも大となる様に追加曲げしたり、該耳２ｄの内外側に補強用桟４３を接合した加工、及び、その組み合わせの加工を施した事を追加特徴とする請求項１，２，３，４，５，６，７に記載の釣り針、その製造方法、その仕掛け、その釣り糸１０との結合方法、及び、その仕掛けにオキアミ２５・２７を取り付ける請求項１に記載の使用方法
【請求項１０】
軸３に設けた、フトコロ８と腰曲がり４−先曲がり５間の湾曲部で構成する平面に略直角方向、又は、略平行方向の結合穴３０の、２箇所の開口部と対として、略板状の耳２（２ａ・２ｂ・２ｃ）の軸３との境界部Ｅの、フトコロ８側から正面視した場合の軸３の両側面間に２箇所の耳側案内溝３５、又は、フトコロ８側正面に１箇所の耳側案内溝３５、又は、その２箇所の両側面間の耳側案内溝３５形状に近似して、且つ両案内溝を境界部Ｅで通絡した形の耳側通絡案内溝３７の１箇所の、いずれかを持ち、且つ耳２のフトコロ８と反対側面を、軸３のフトコロ８と反対側に近接させて製作した事を追加特徴とする請求項１，２，３，４，５，６に記載の釣り針、その製造方法、その仕掛け、その釣り糸１０との結合方法、及び、その仕掛けにオキアミ２５・２７を取り付ける請求項１に記載の使用方法
【請求項１１】
軸３に設けた、フトコロ８と腰曲がり４−先曲がり５間の湾曲部で構成する平面に略直角方向の結合穴３０の、２箇所の開口部と対として、該開口部から耳２（２ａ・２ｂ・２ｃ）の軸３との境界部Ｅ迄、軸３の伸長方向と略平行な方向で、且つその深さも略一定の、２箇所の釣り糸収納溝３９を設け、且つ該耳２のフトコロ８と反対側の面を、軸３のフトコロ８と反対側に近接させて製作した事を追加特徴とする請求項１，２，３，４，５，６に記載の釣り針、その製造方法、その仕掛け、その釣り糸１０との結合方法、及び、その仕掛けにオキアミ２５・２７を取り付ける請求項１に記載の使用方法
【請求項１２】
軸３に設けた、フトコロ８と腰曲がり４−先曲がり５間の湾曲部で構成する平面に略平行な結合穴３０の、２箇所の開口部と対をなす、軸３のフトコロ８側及び軸３のフトコロ８と反対側の２箇所の稜部の内、少なくとも軸３のフトコロ８側には、該開口部から耳２ｄの軸３との境界部Ｆまで、軸３の伸長方向と略平行な方向で、且つその深さも略一定の、釣り糸収納溝３９を設けた事を追加特徴とする請求項１，２，３，４，５，６に記載の釣り針、その製造方法、その仕掛け、その釣り糸との結合方法、及び、その仕掛けにオキアミ２５・２７を取り付ける請求項１に記載の使用方法
【発明の詳細な説明】
【技術分野】
【０００１】本願発明の釣り針は、水産業、特に沿岸及び沖合の一本釣り漁業等に使用される、海魚用の釣り針に関するものである。
【背景技術】
【０００２】従来から魚釣りに用いられている、フトコロがひとつの、湾曲した釣り針１（図２に、主に、「釣りの科学  森秀人氏  １９８１年発行  講談社」による各部の名称を示す）には、釣り糸を結ぶ軸の端部に、耳（又はチモト・タタキ・アイ等）と呼ばれる形状部が有り、釣り糸の結合のために様々の形状が有る。この軸端部にある耳から、その基幹である軸を経て、針先方向への湾曲部の、約半周（約１８０度）の内、約半分のターンを分担する腰曲がり、針先へと更に湾曲させ、残りの半分のターンを分担するのが、先曲がりとなり、最終的には、魚に釣り針を刺して掛ける為の、尖端である針先となる。先曲がりと針先間には、必要に応じて、その内側、又は、外側に、アゴ（モドシ・カエシ・バーブ）が設けられる。針先と軸間の距離が、いわゆる、フトコロとなる。この考え方から、軸部から全体的に、腰曲がり様に湾曲している釣り針については、針先に相対している基幹部分付近から、軸端部の耳迄の間は少なくとも軸であると考えれば良く、逆に、軸が一旦、針先と逆方向に湾曲している釣り針は、針先方向へ曲がりが転じる変曲点付近から、軸端部の耳迄の間は、軸であると考えられる。従って、フトコロがひとつの湾曲している釣り針においては、少なくとも針先に相対している部分から、或いは、フトコロ部から上に、釣り糸を止める為の各種形状部までの間は、全ての形の釣り針で、軸と見なす事が出来る。【０００３】中井戸嘉彦氏の「仕掛け教室  ３２頁−３３項  １９８４年発行（株）週間釣りサンデー社」によれば、主な耳は、主に、フトコロ側正面から見て、図３〜図７に分類され、国内では図３・図４の様な、軸端を潰した撞木（シュモク）と総称される形の耳（丸耳を含む）が、最も普及している。撞木の耳は、軸部に結んだ釣り糸の内径周長よりも、潰した耳部分の周長が大きくなっている事で、釣り糸を捲いた結びの輪が、軸の耳方向に滑るのを止める事により、図８の様に、その輪が下に押え込んだ釣り糸（出糸）を固定している。幾何学的には、同じ面積では円の周長が最小であり、他の形は、すべてそれより周長が大きくなる。例えば、断面が丸い軸を３分の１に平たく潰せば、周長は約１．７倍程度に大きくなるので、軸に捲いた釣り糸が負荷で伸びたりして、この周長の大きな部分を、耳方向にずれ滑って乗り越えなければ、最も下に押えている釣り糸（出糸）も固定される。この撞木の耳（丸耳を含む）は、押圧変形（プレス機で潰す）だけで良いのでコストも小さく、釣り糸の結合方法が正しければ、後述する掛かり時の姿勢制御上のメリットが出易く、又、図６に示す管付（尻曲がり）の耳の様に、大きくて目立つ耳では無いので、最も合理的に出来ている。主に太い糸を結ぶ根魚・大型魚食魚や深海魚用等の、特殊な用途の釣り針に使用され、海外では主流である管付の耳、及び、主に石鯛等の底物類や大型魚食魚等の、向こう合わせの魚に用いられる、図５の穴サラエの耳以外では、撞木の耳（丸耳を含む）が、殆どの魚種用の釣り針の耳として採用され、コストと実用性から最も普及している。図７のギザ耳は、それを数個組み合わせて、フトコロが複数の錨型とする場合に、主に使用され、鮎の友釣りの掛け針等に利用されている。【０００４】この撞��の耳（丸耳を含む）の周長を大きくする事で、釣り針が釣り糸の結合部分から、すっぽ抜けるのを防止する従来技術としては、特許第２８６９７２３号・特開平１１−２０６２７１・特開２００１−２８６２３８・特開２００３−０８８２７５等がある。又、耳の直近の軸径を小さくすることで、相対的に同じ効果を得るものに、実登３０６２９５７がある。【０００５】撞木の耳（丸耳を含む）が持つフトコロ側平面の、直近の軸に対する角度については、図９の様に、通常、平面の延長線が先曲がり付近に交差する向きの、角度Ｔとしている。この角度Ｔは、魚と釣り糸が、釣り針を介して引き合う際は、釣り針が最も深く刺さった状態（釣り糸の取付起点から釣り針のフトコロをめぐる湾曲部の内、もっとも遠い所まで突き刺さった所・距離が最も大きい位置）で力学的に安定するので、その向きにＴをほぼ合致させており、軸から針先までの取り回しや軸の湾曲程度にもよるが、通常、直近の軸に対して０度付近からフトコロと反対側に４０度程度としている。掛けた魚を釣り糸で吊るした（糸が直線に伸びた状態）際に、耳の端部が釣り糸に力を加えない角度にすれば、釣り糸に不必要に耳からの力が加わらなくてすむ。この為、先曲がりの位置と、軸の曲がり具合や長さ等の、釣り針の全体形状との兼ね合いで、取れる角度Ｔに制限がある。又、製作後の耳の後端部付近に、鋭いエッジが有れば、釣り糸との結合時や使用中に、釣り糸を傷付けて強度低下を起こすので、実登３０１８７０２においては、このエッジを、前後両面に渡って丸める事が提案されている。【０００６】撞木の耳の、潰してある部分の長さについては、釣り糸（ハリス等）を、一般的な外掛け結び・内掛け結び・漁師結び等で、釣り針の軸に捲いて結合する場合、釣り糸が捲かれている事で増大する結合部分の総合断面積、及び、釣り糸の端部が軸の腰曲がり側に突き出して残る影響等で、オキアミ等の餌が、釣り糸を捲いた部分よりも耳側には押し上げきれない為、目立たせて魚に警戒心を抱かせ、釣果を落とす事が少ない様にする為に、比較的短めに製作されており、直近の軸の太さと比べると、２〜４倍程度になっている。最近の傾向を見ると、小さ目にする方向の釣り針メーカーもある。つまり、餌釣りでは、まずは釣り針を忍ばせた餌を、魚に食べさせる事が大前提であるから、警戒心を起こさせる、耳や結合部分等は、小さい程目立たなくて良い。又、釣り針を全体的、或いは、部分的に、餌の色等に合わせて着色することで、餌からの露出部分を目立たなくすることが、実登３０１１４３７・実登３０１８０５２・特許２７１７６１９等で提案されている。【０００７】結合方法を変えて、釣り糸を捲く潰した耳（タタキ・チモト）や管付の耳そのものを無くして、餌の通し性を向上させる為に、実登２５８８１７７・実開昭５７−８４８７８・特開平７−３２７５６３・実開平７−５３５６・実開平７−１１１６０・特開２００１−０２８９６８・意匠１０７７４６３・意匠１００７７８９０・意匠１２００５４２等の、特別な構造や結合方法等も提案されている。フトコロがひとつの餌釣り針ではなく、耳も無いが、軸にハリス止めや任意手段で、釣り糸を結合するものには、実公平４−１５４１２がある。【０００８】釣��糸との結合方法自体は、従来の様に、釣り糸を軸に捲いて結合する撞木の耳を残したままで、釣り糸を捲く部分の径を小さくすることで、釣り糸による断面積の増大を抑えて、餌の通し性を向上させる事が、実登２５８８９９３・実登２５１４２０９・実開平７−２８３５４・特開平８−２５６６３９・特開２００１−１６１２０８等で提案されている。【０００９】撞木の耳（丸耳を含む）を持つ釣り針は、釣り糸の出し口（出糸）が軸のフトコロ側でなければ、合わせ時の掛かりが非常に悪く、その為、結合時に釣り糸の出し口を安定させる、或いは、太い糸でも結合後に周方向にずれたりしない様に工夫することも重要な課題で、耳の近傍の、軸部形状の工夫では、実登２５８８９９３・特開２００４−１４７５２９・特開２００２−１５９２４６・特開２０００−３１６４２３・特開２００１−０００１２７・実登１７８７４９１（権利期間終了）・実登２５１４２０９・実登２５１９０５６・実登２５１９０５６・特開平１１−２８９９１９・実開平６−２４４６３・特開平１０−２０１３９７・特許２５３５４３１・特許３０５５０８７・特開平８−２８０３０６等の提案がある。【００１０】撞木の耳の釣り針に、樹脂等で、釣り糸のフトコロ側正面からのずれを防止する構造物（軸や耳に別材の付属物を付けるので、錘部に相当と考えられる）を設けたものには、実登３０４７７６０・特開平１１−２８９９１９等がある。管付の耳で、円環に取り回した耳の合わせ目に、合成樹脂部材を配して、糸抜けを防止するものには、特許３２３４５５９がある。【００１１】同じく、軸部については、釣り餌のずれや脱落を防止するいわゆる餌止めの工夫で、実登３００２１１４・実登３０５６５６１・特開平１１−１５１０５４・特開２００４−１２９６４５・特開２００２−３６０１２３・特開２００３−０３３１２６・意登１１９１０１０・意登１１８６０６０・意登０９１６８７５等がある。【００１２】軸部に、周方向、又は、螺旋状に溝を設けて釣り糸を納める様にした工夫は、特開Ｈ０８−２５６６３９の図にある。軸の縦方向に溝を設けて出糸のガイドとしたものには、実登１７８７４６１（権利期間終了）や、同じく特開Ｈ０８−２５６６３９の図がある。【００１３】軸部に、特別の曲げを施した釣り針には、実登３０１８８６２・実登３０９５８２７・特開Ｈ０６−３１５３３４・特開Ｈ０６−３２７３７８・意登１２０４７６４等がある。魚の口腔に入り込み易くする為に、釣り針を水平にする工夫には、特許３４４８５３８がある。【００１４】耳の直近の軸を、貝類等の釣り餌に差し込み易く出来る様に、フトコロと湾曲部が構成する略平面と平行方向に、平面状に潰したものには、実登３０４９０１９がある。同様に、耳から軸にかけて側方から潰す事で、軸のフトコロ側に２条の隆起部を形成して釣り糸（出糸）のガイドとしたものに、実開Ｈ０６−０２４４６３がある。実登３０４９１０９の部分を除き、同様の方向で、軸を１箇所以上平面に潰して、集魚効果を持たせたものには、実登３０１９９６７がある。軸から湾曲部を、平坦面に潰し且つ補強したものには、実公Ｓ４８−０１９１１１・特開２００１−１１２３７６等が、湾曲部全体を同様に成形したものには、実開Ｓ６２��０６０１８０・特開２００４−１２１２０４等の提案がある。耳を無くして、軸端に段落ち部を設けたものには、実公平６−８６８９の例がある。【００１５】釣り針の腰曲がりから先曲がり間に、部分的に断面強度の弱い部分を設けたものには、実開Ｈ０４−１２７１６４・特開２００１−３２１０２１がある。【００１６】撞木の耳の次に普及している釣り針の耳は、図６の、軸端に軸材を環状に丸めることで、糸通しの穴や略穴を設けた管付（尻曲がり）の耳で、例外はあるが、主に根魚・大型魚食魚や、深海魚等の攻撃性の高い魚に用いられる、比較的大きな釣り針に採用されている。「仕掛け教室」によれば、元来は、撞木の耳の釣り針に、釣り糸をうまく結べない人用とのことであるが、実際には、図１０の様に、環の端部にクリンチノット等で結べば、掛かりが悪い（理由を後述する）ので、この結合方法では、いわゆる向こう合わせの魚に用いられる場合が多い。環の向きは、餌釣り用に関しては、フトコロ側正面に穴が面している。又、その環の方向は、通常の餌釣り用と直交方向にして、耳付近の取り回しや、フトコロの箇所数は多種にわたるが、ルアー釣り・バケによる曳釣り・餌を付けてのジギング等のフックは、殆どがこのアイタイプであり、その対象となる攻撃性の高い向こう合わせの魚には、この耳でも問題が少なく、且つ、釣り針のみの、取り替えの自由度の方が重要だから普及しており、曲げ込んだ環の合わせ目を少し開ける工夫をしたもの（略穴と考える）もある。又掛かりを良くする為の、軸の様々な取り回し（曲げ）の変更や、長軸化等の工夫もされている。合わせをして掛けないと、餌や釣り針を吐出して逃げる手前合わせの魚に使われる餌釣り用の釣り針は、従来型の潰して平たくした撞木の耳の方が多い。しかし、管付の耳の釣り針でも、釣り餌を付ける釣りの場合に、図１１の様にフトコロ側から釣り糸を穴に通し、軸のフトコロと反対側に、出糸の接点が来るように、例えば外掛け結び等で、軸に捲いて結んで使用すると、掛かりの悪さの問題が無くなる。耳の大きさを問題としない魚の釣りや、光量が少なくて耳の露出が問題とならない夜釣り・深海での釣り等では、環部が釣り糸を保護する重要な機能を併せ持っていることもあり、管付の耳の釣り針の利用率が高い。この釣り針仕掛けの結合の改良（連結）には、特開平８−２８０３０６がある。【００１７】管付の耳の内、ルアーフィッシング等に使うもの以外（餌釣り用）は、前述の様に、その穴がフトコロに面した方向となっているが、その環の構成する面の、軸に対する角度Ｔは、上記の表示で軸方向を０としたとき、プラス４０度マイナス６０度程度である。マイナスは、耳をフトコロ側に傾けて、釣り糸をフトコロ側に結んでも、釣り糸（出糸）を環に通せる様にして、掛かり時の針先角度を、フトコロ上部の開口部寸法の確保に優先させたものを示す。この取り回し（角度）は、穴サラエの耳の場合にも、共通する例がある。【００１８】管付の耳の釣り針で、その穴の向きは、フトコロ側から正面視した場合に側方向きであるが、環の線径を連続的に小さくしたものに、意登１１９０５３４がある。【００１９】餌釣り用の釣り針の、管付の耳形状については、コンパクトに丸める方がやはり目立たない��で、通常は、図６の様に略円環状としており、使う釣り糸の号数で穴径を決めれば良い。根付け仕掛けを作る場合を除き、軸より太い釣り糸を使う事は、殆ど無いので、穴を軸の径と同じか倍程度までとすると、円環の外径は、軸の３〜４倍程度以下となる。【００２０】図５に示した、穴サラエの耳については、主に、石鯛等の底物釣り用として多く普及しているが、魚が餌を飲み込んで走り出すまでは合わせをしない、向こう合わせの釣りであり、違和感なく食べさせるために、結合方法を、図１２の様な釣り糸（ワイヤー）の端部に環状部のある、いわゆる首振り仕掛けにし、また沢山の硬い貝類等の餌を通し掛けにする都合と、穴を開ける事で剛性が低下しすぎると、その釣り法特有の強烈な合わせ時のショック荷重で、耳部に折れを生じるので、潰した耳（タタキ・チモト）の潰し幅を、あまり大きくしない（潰し後の厚みを薄くし過ぎない）ように工夫された釣り針が多い。大型魚食魚用の釣り針では、釣り糸の向き安定には、フトコロ側正面に、平たい略面さえあればよいので、円筒部を潰してはいても、幅は広げていないものや、除去加工で略平面に加工した釣り針がある。釣り糸には、頑丈で顎の力も強い石鯛等に、歯で噛み切られない様に、又、鋭い歯を持つ根魚等に擦り切られないように、金属の撚り線（ワイヤー）や丈夫な編み糸が根付けとして用いられる事が多く、それを現場で結合すると時間が掛かるので、根付けした状態で販売されているものも多い。同様に、耳の種類は限らずにいえば、釣り針付近で、強力な結合をするものには、特許２７９４５５６・特許３２６２７７４・実登３０１５０７７が、目的・耳形状は異なるが、しなやかな細糸多数で切られにくい結合をするものには、特許３５１０３３０がある。同じく、管付の耳で、ルアー用に、強力な中空糸で仕掛けを構成したものには、特開２００３−２５０３８６がある。釣り針や組み合わせる仕掛け等を、スリーブを使用して結合するものには、特許２５５３０２３がある。【００２１】穴サラエの耳で、腰曲がりから針先に向かう湾曲部を太くすることで、重心を湾曲部側に移して、大型魚に対する掛かりを改善したものには、特許３４５５４９２が、同様に太く補強したものに、実全Ｓ４９−００００７７がある。撞木の耳を、平たく潰す前に、一旦膨出加工して断面積（径）を大きくし、潰し後の周長と厚みを両立させたものには、特開２００１−２８６２３８の提案がある。略平面の耳も、穴や円環の耳も無く、釣り糸を捲回する特定部分を、緩やかなテーパーにしたり、位置決め突起を持つものには、特許３５４０２８４がある。軸を全体的にテーパー状としたものには、意登１１０９６２３がある。軸端を太らせて、その軸側にチューブを配した釣り針には、特開２００４−１８７６１２がある。【００２２】通常の耳は無く、釣り糸に対して、軸を自由に回転（ローリング回転）出来るように構成した釣り針には、実登３０１３４１４・実登３０２４０３６・特開平１０−２１０９０５があり、フトコロがひとつでは無いが、同じ結合をするものには、実公平７−０１８２８５がある。同様に、軸に平行方向に、且つフトコロに対しては背面側に、パイプ等を結合して、釣り糸に対して釣り針が自在に回転出来るように��たものには、実登３０８３８０２・実開平５−４８６７２があり、軸のフトコロ側に、軸と平行に、縦の穴を設けた釣り針には、意登１１０９６２３がある。子針を、軸に自由に回転できる様に設置したものには、特開平１０−２９５２１９等がある。【００２３】図１３に示す、オキアミは、プランクトンのひとつで、百科事典等によれば、軟甲亜網オキアミ目オキアミ科の甲殻類で、全海洋に８０〜９０種程度おり、エビ等の十脚目とは異なり、鰓が露出している等のより原始的な体構造である。大きくて豊富に産する種類しか安価な釣り餌には供給出来ないので、主に南極海等で、専用船にて採捕される大型・中型のものが、生のままかボイルされて、且つ腐敗防止の為に冷凍されて、海釣りの釣り餌として供給されている。「海・川  釣り餌百科  １９８９年度版  つり人社」によれば、長所は、集魚効果・柔らかく食い込みが良い・抵比重・夜光性とあり、短所としては、柔らかく遠投不可・エサ落ちが早いとある。このオキアミの改良に関しては、特開平９−１６８・特開平９−２８３１１・特開平１０−４８８９・特開２００３−１２５６８６・特開２００３−１２５６８７等の提案がなされている。【００２４】オキアミの釣り針（仕掛け）への取付方法については、一般的に、図１４の様に、水中で餌（仕掛け毎）が回転してしまう原因となる、尻尾（尾節・副棘・尾肢）とその付近の腹節を千切り、又は、切取って、基本的に、軸に出来るだけ真っ直ぐに腰曲がり付近まで、図１５の様に腹掛け、又は、図１６の様に背掛けに、通し刺しし、又は、縫い刺し（針先を、少なくとも１回、途中で外殻の外に出してから中に戻す）する。針先から先曲がり部迄は、掛かりを良くする為に、オキアミから出しておくのが基本である。餌を大きく見せてアピールする、又は、大型魚を対象とする場合は、出来るだけ尻尾側の腹節、又は、その境界部で切り、図１７の様に、腹合わせ（抱き合わせ）、又は、図１８の様に背合わせで２匹掛けする、図１９の様に房掛けに沢山付ける、図２０の様に、釣り針を結ぶ場合に、結合部に一緒に縛りつけた、ずれ防止の為の切れ込みを細工したナイロン糸等に、オキアミをそれぞれ刺して付けるといった方法が取られている。図１７〜２０のオキアミ多数個掛けに共通するのは、オキアミを並列に並べて取り付けしている事である。【００２５】特殊な釣り針においては、実登３０５４３１８において、ふたつのフトコロの釣り針に、ひとつの餌（本文において、海老・おきあみ）を掛けることが提案されている。特開平９−２５２６８１において、ホールドアームに餌（本文において沖アミ）をつけて保持する並列掛けの例図がある。餌の通し性を、格段に向上させた実登２５８８９９３については、餌（請求項・本文において、種類の記述無し）を直列に多数個、耳より釣り糸側へ通すことが可能とされている。実登２５８８１７７においては、餌（本文において、アワビ・トコブシ・サザエ・ヤドカリ・ウニ等）を直列に多数個、耳より釣り糸側へ通すことが可能とされている。実登２５１４２０９においては、餌（本文において、アワビ・トコブシ・サザエ・エビ・マムシ・ウニ）を直列に多数個、耳より釣り糸側へ通すことが可能とされている。特開平７−３２７５６３��ついては、餌（請求項・本文において、種類の記述無し）を直列に多数個、耳より釣り糸側へ通すことが可能とされている。実開平７−２８３５４においては、餌（請求項・本文において、種類の記述無し）を直列に多数個、耳より釣り糸側へ通すことが可能とされている。実開平７−０５３５６については、餌（本文においては、アワビ・トコブシ・サザエ・ヤドカリ・ウニ・マムシ・エビ等）を直列に多数個、耳より釣り糸側へ通すことが可能とされている。実開平７−１１１６０においては、餌（本文において、アワビ・トコブシ・サザエ・ヤドカリ・ウニ・マムシ等）を直列に多数個、耳より釣り糸側へ通すことが可能とされている。特開２００１−０２８９６８については、餌（請求項・本文において、種類の記述無し）をチモト側端部まで差し込むことが可能とされているが、多数個挿入の記述はない。
【発明の開示】
【発明が解決しようとする課題】
【００２６】以上の先行技術の様に、釣り針の端部を潰したり環を設けたりした耳（タタキ・チモト・アイ等）、及び近傍の軸、及び釣り針全体には、餌の通し性（貫通させ易さ）、釣り糸の出し口の安定性、餌の固定性等の様々な課題が有る。又、この他に掛かり性の向上があり、最新の市販の釣り針は、細径化とロングテーパーによる針先の鋭さ・針先の切込部形状、アゴ（モドシ・バーブ）の複数化やアゴの省略、縄文時代からあるアウトバーブの再普及、材質と熱処理の向上による高硬度化等の工夫がされてきている。発明者は、これらの技術動向を検討したが、特に掛かり性を向上させる為の、高応力部位としての、先曲がり付近の細径化傾向は、やりとりに時間の掛けられる遊漁においては、特に問題ないが、職漁においては問題があると考えている。職漁においては、不意の大物魚が掛かっても伸びたり折れたりしない頑丈さ、短時間で釣り上げるためにある程度強引なやり取りが必要な為、基本的には、従来同様に、掛かり時の応力が大きくて伸びたり折れたりしやすい腰曲がり−先曲がり間等が太い、或いは、全体的に太くて頑丈な釣り針が好ましい。釣り糸も、職漁においては、確実性・強引への対応性・コストを下げる為の繰り返し使用が前提となるので、糸材質の改良等で強度が向上してきても、基本的に、安価で太い釣り糸が従来同様に使用され、遊漁の様に、２号未満等の細糸は使われえないので、釣り針側が先に破損する事は、あってはならないと考える。又、釣り餌としてのオキアミの使用方法については、従来式の結合の釣り針については、文献・釣りのガイドブック・雑誌等に従えばよいが、新しく開発された通し性の優れた釣り針群には、それに最も適した付け方（使用方法）が具体的に開示されるべきである。【００２７】従って、これらの課題を総合すると、従来と同様の釣り針素材の太さ・釣り糸の太さのもとでも、▲１▼オキアミを餌として使用する場合で、餌の通し性を従来よりも著しく向上させ、出来れば耳（チモト・タタキ・アイ等）より釣り糸側に押し上げて、釣り糸の結合部・耳や根付け等の仕掛けの一部、又は、全部をオキアミで覆い隠すことが可能で、更には、オキアミを仕掛けに複数個直列に取り付けて、アピール性も向上させる事が可能、▲２▼釣り糸の出し口の安定性が格段に向上し、取付時や使用中に回る事が無く、しかも短時間で結合可能、▲３▼餌の固定性が飛躍的に向上し、深海や遠投でもずれや脱落が少ない、▲４▼従来のものより掛かり性が向上できる釣り針としての改良、▲５▼オキアミを、専用に使用する新しい釣り針群での、適切な新結合方式・使用方法や、その釣り針に、釣り糸を結合した仕掛けへの、オキアミの最も有利な取付方の、指示や表示が出来ることの５項目となる。【００２８】課題の重要なポイントとなるのは、主に撞木の耳で、特許・実用新案の申請の多い、釣り糸（ハリス等）結びでの、糸の出し口の安定性（結合時或いは使用中の周方向に対する廻り止め性を含む）に関する改良である。これらに共通するのは、少なくとも軸のフトコロ側の一部に、平面や溝等を設けて結合後の接触面積（釣り糸の径方向の撓み性によるものを含む）や転動抵抗を大きくし、その効果で、結合時・使用時の周方向の廻り止めができるようにする事である。撞木の耳の釣り針では、釣り糸本線の出し口が、耳のフトコロ側正面付近に無い場合（フトコロ側から見て軸の左右や後側に釣り糸の出し口がある場合）、少なくとも手前合わせの魚に対する掛かりが非常に悪くて、釣れる率がかなり低くなるのは経験的事実であり、その根本原因の、理解・解析と解決が最重要な課題となる。【００２９】図２１の様に、釣り糸を垂直にした状態で、耳のある釣り針１は、その基幹である軸を垂直して立っているものとする。魚が餌付の釣り針を摂餌しようと周囲の水ごと吸引する（挙動の解説の為、餌を省略する）と、最初に、釣り針は、魚が吸込む水流に乗って釣り糸の結合部（出し口）を支点として、図２２の様に、釣り針全体が針先方向へ反時計廻りにピッチング回転し、針先が魚の口腔に刺さろうとする。この釣り針の挙動は、先の「釣りの科学」にも解説されている。回転した釣り針の針先は、口腔に突き当って接点が出来る。「釣りの科学」では、この時点で、針先が口腔に刺さるとあるが、海魚の多くは、河や湖沼の魚より、口唇や口腔が硬いものが多く、ピッチングの慣性力程度では刺さらず、ある程度刺さるにも、更に力が必要である。接点が出来て、フリーだった釣り針の針先が固定されると、海流による釣り糸の張力や、釣り竿の力、及び魚信を感知した釣り人が合わせをしようとする力が、針先を更に口腔に食い込ませて刺さろうとする。この時、釣り針の姿勢は、図２３の釣り針側矢印の様に、吸込み時とは逆に、時計廻りにピッチング回転しようとする。この場合の支点（固定点）は、針先と魚の口腔との接点であり、この動きは、張っていく釣り糸の延長線が支点に一致しようとする、図２３の釣り糸側矢印で示す力学的な動きに伴うものである。その拡大図を、図２４に示す。この回転モーメントに対抗し、釣り針の姿勢を維持・制御する力は、釣り糸のテンションによって得られる、耳の端部と釣り糸の接触点Ａを押し返す力ｆと、取り付けた釣り糸の接続点Ｂから、耳との接触点Ａまでの距離ＡＢの積の回転モーメントとして得られる。従って、平たく潰した耳（タタキ・チモト）が、釣り糸を取り付けた点Ｂに対して針先（或いはフトコロ）と反対側にあれば、掛かりの際に、釣り針の姿勢が、ｆ×ＡＢの回転モーメントで限定（制御）されて、拡大図２４の向きよりも時計廻りにピッチング回転しにくくなり、且つ左右にぐらつく（ローリング回転する）ことも少なく、テンションが充分であってうまくバランスが取れれば、ピッチング回転は止まり、針先の突入姿勢が安定する。釣り糸の張りが弱い場合でも、最終的には、釣り糸の延長線上に針先が一致する所でピッチング回転は止まる。この過程の途中での、姿勢の制御をするモーメントの中心は、テンションによって固定されたこの系内のＢ点であり、式から分かるように、釣り糸のテンションによる力ｆが強い程、又、距離ＡＢが大きい程に強くなる。但し、この制御モーメントが、発生する条件としては、Ａ点は、釣り糸の伸長方向にはフリー（ＡＢ間は、軸や耳への固定拘束はなし）で、且つ、当然ＡＢは正の数でなければならない。Ａが固定点（＝Ｂ）である事は、テンションにより発生する力がＡ点にしか作用しないので、姿勢拘束力が無い状態になる。又、Ａ���の拘束が通常はないから、釣り針は、水流に乗って反時計廻りにピッチングし易く、魚の口腔にスムーズに入り込む事が出来るとも考えられる。以上の様に、釣り針の突入姿勢が制御された（釣り糸の力で、釣り針の姿勢を拘束した状態）で、釣り人が釣り糸を更につよく張る合わせを入れて、口腔に深く針先を刺したり、魚が釣り餌中の硬い釣り針や針先による異物感、釣り糸につながれて動きが制限される違和感を感じて下降すれば、魚の口腔に針先がしっかり食い込んで（向こう合わせで）、十分に捕獲が可能となる。【００３０】糸の出し口が、フトコロと反対側や軸の側方にある場合は、Ｂが後ろや側方に有る事で、Ａが存在できないので、距離ＡＢもｆも０となってしまい、釣り糸が耳を介して行う、針先突入の姿勢制御はなされない。図２５（フトコロと反対側に釣り糸の出し口がある場合）に示す様に、図２４の姿勢よりも更に（同じく釣り針は、釣り糸の延長線上に針先が一致するまでは）矢印の方へピッチング回転してしまい、ローリング回転の制御もなされない。こうなると、異物感・違和感を感じて、下降して逃れようと徐々に下を向く魚の口腔の角度ともあいまって、口腔に直角が最適である、針先の突入角度ｐが、図２４の例よりも大きくなりすぎ、且つ、横方向へ釣り針がぐらついたり、滑ってずれたりして刺さりにくく、釣り糸を引いても、針先が魚の口腔内壁を滑る、又は、釣り針で魚を持ち上げるのみで、合わせの突き刺し（向こう合わせ時も含む）は出来にくい。【００３１】この状態を、角度が検算しやすい、別の模式図を用いて説明する。図２６の様な寸法の釣り針を仮定する。耳の平面の軸との交差角度Ｔを１５度とし、耳と軸の交点（ここをＢ点と仮定する）から、湾曲部（腰曲がりから先曲がりの内側）までの距離を２０ｍｍとし、フトコロ寸法は１０ｍｍ、針先から先曲がりまでのいわゆるフトコロの深さを１０ｍｍとし、軸の直径は１ｍｍとし、耳の長さを３ｍｍとした、先曲がり−針先までの内側の線が軸と平行な、図２６の釣り針に、Ｂ点から垂直上方に、釣り糸が力Ｓ（２点鎖線で示す）を加える。釣り糸、及び、魚の口腔は省略する。針先が魚の口腔内壁に接して、釣り糸の力Ｓで、針先を中心に耳側が時計廻りにピッチング回転し、回転角度が１５度に達すると、図２７の様に、Ｓの線が示す釣り糸が、耳の末端と接してＡ点が出来、釣り糸が耳を押し返す力ｆは、この時点から発生する。この状態では、先曲がり−針先間の内側の線は、水平に対して７５度（垂直に対して１５度）の角度を持ち、釣り糸の力Ｓは、有効に針先に伝わる。もし針先が魚の口腔に十分刺さらず、更に釣り針が回転していくと、最終的に、釣り糸の延長線が針先に一致して、図２８の状態になり、この時の先曲がりから針先間の線の水平からの角度は約５０度（垂直から４０度）となる。釣り糸の張る力Ｓの成分の大半は、針先が口腔に刺さろうとする上向きに使える角度であり、釣り糸の張る力Ｓが、姿勢制御に有効に利用され始めるＡ点の接触開始（図２７）から、ここまでの間に、ある程度針先が刺さったら、魚が吐出水流を利用して吐き出そうとしても、簡単にはできなくなる。従って、釣り針のピッチングを止める（或いは、遅らせる）には、釣り糸の張りから得られる力���が同じでも、距離ＡＢが大きくて、モーメントが大になる方が有利となる。又、耳の長さを更に大きく取れば、図２８の姿勢時に、角度上も若干有利になる。【００３２】次に、図２９の様に、同じ形状の釣り針に、フトコロと反対側に釣り糸を結合して、軸端と耳の境をＢ点とする。釣り糸の力Ｓで、針先を中心として釣り針が時計廻りに（耳側に）ピッチング回転し、Ａもｆも生じずに、釣り糸の延長線上に針先が一致する、図３０の状態まで回転すると、先曲がりから針先までの内側の線の、水平からの角度は約４１度（垂直から４９度）となり、釣り糸の張る力Ｓの大半は、ベクトル分散して横（水平）向きにそらされ、上向きに働く力が少なく刺さりにくくなる。【００３３】上記角度の他に、注目するべき点としては、図２７から図２８に移行していく間は、作用し続ける力ｆのお陰で、状態の移行に時間が掛かり、この間は、釣り針が刺さりやすい角度である事である。図２９から図３０への移行の場合、抵抗する力ｆは無いので、刺さりにくい図３０の状態まで、一気に（比較的短時間・一瞬に）移行してしまう。この状態になると、刺さる事よりも、魚の口腔を釣り針のフトコロや軸と反対側に押し返す方に、力の成分が多く向けられているので、魚にとっては、針先の突入角度が直角に近い場合よりも、吐き出す水流に乗せての釣り針の吐出が容易であると考えられる。図２５でも説明した様に、魚の口腔内壁の角度が、入り口側が下を向く様になっていると、更に角度上不利になってしまうのは、言うまでもない。【００３４】次の注目点は、図２７のハッチング部で示した、針先−Ｂ点−Ａ点の三角形の存在で、３点が有ることで平面が確定し、釣り針が針先−釣り糸を中心としたローリングを起こしにくく、ぐらつかないので、針先が魚の口腔に刺さり易い状態である。確率的には、釣り針と魚の口腔は、通常は（各図の紙面を貫く垂直方向にも）傾いてしまうのが常態と考えられ、僅かな傾きでも、針先は、基本的に支えの弱い（交差角度の大きい）方に滑って逃げようとする。このローリングと針先角度は、合わさる事で針先がぐらついたりずれたりする現象を誘発しやすいので、このローリングを止める要素は重要である。従ってローリングを誘発しやすい結合方式を取る釣り針は、少なくとも口腔の硬い対象魚用としては、不安定であると推定される。又、針先の角度については、Ａ点が発生した時点から、最終的に釣り糸の延長線上に針先が一致して、ピッチング回転が止まるまでは、釣り糸の張る力Ｓが示す方向に対して、刺さりにくい大きな仰角とならない様に、釣り糸が引く方向を良く考慮して設計すれば良い。【００３５】以上の、針先の先端の角度については、向こう合わせの対象魚用にて良く採用される、ネムリを掛ける、つまり軸３側に向けて、先端付近を曲げ込む事で対処は可能であるが、掛かりに有効な角度を維持している時間の延長と、ローリングを止めて刺さりを安定させる為には、釣り糸から得られるである力ｆと、３点目の接触点Ａの存在が、共に不可欠である。Ａ点が、掛かり始めの早い時点で生じる為には、角度Ｔが小さい方が有利となるが、段落（０００５）で説明した様に、小さくし過ぎると吊り下げ時等に問題が生じる事がある。又、図２７で分かる様���、ローリングを止めるこの三角形面積の大きさも、ＡＢの長さ、つまり、略耳の端−結合点の長さによって大きく影響されるので、ＡＢの長さは、大きく取れる事が望ましい。【００３６】又、釣り糸が持っている力Ｓが大きい事、例えば、釣り針及び釣り餌が、潮の流れによって受ける力や、餌及び釣り針の質量が大きい事で重力によって受ける力、つまり、いわゆる仕掛けの張りであるＳが大きい方が、掛かり始めの初期段階では、釣り糸と耳の接触点Ａを押す力ｆが大きくなって、釣り針の掛かりがよくなる事が分かる。従って、釣り針の重量は、大きい方が好ましく、餌で隠す等で、問題部分（特に、結合部と耳）を目立たなく出来る限り、全体的、又は、部分的にでも太くした方が良い。又、合わせの際の力もＳであるから、仕掛けの強度上、及び魚の口唇の強度上、問題が無い限りにおいて、強くて速い方が良い。【００３７】しかし、釣り針の重量を大きくしすぎると、撒き餌との、いわゆる同調が崩れ易いという問題が発生する。従って、対象魚の口腔に、問題なく入り込む限りにおいて、餌の体積を大きくする事で、潮や魚の吸込みの流れによって、釣り糸の張りを大きくする事が、運用上で、釣果を上げるポイントのひとつとなる。【００３８】以上の様に、釣り糸の結合が良くない場合に、釣り針の掛かり途中の姿勢制御が悪くて、釣り針の針先が、口腔に深くまで刺さらない僅かの時間の内に、魚が釣り餌に忍ばせた釣り針を吐出してしまえば、釣り餌はとられても、魚は釣れなくなる。尚、この現象は、そのメカニズム上、魚が釣り針付の餌を飲み込んで、例えば釣り針が、図３１の様に、魚の口腔内で寝た姿勢であっても、合わせや魚の移動で、軸が釣り糸に引かれて口腔の入り口まで引き出されて、釣り糸のテンションを元にして、針先が口腔に刺さろうとする時点で、必ず発生すると推定される。従って全く同じ釣り針を使用していても、正しい釣り糸の出し口（出糸）の場合の、図２４（同図２７−２８）に比べて、出し口の良くない図２５（同図３０）の姿勢の場合は、初期の掛かりも、且つ、合わせ時の掛かりも悪く、且つ、吐出が容易だから、向こう合わせにはなり難く、当然魚は釣れなくなる。【００３９】この為、ルアー用等のフックの様に、フトコロ側から正面視した際に、環の中央部の穴が左右に通じているものは、釣り糸の力Ｓを、有効に針先に振り向ける結合は、基本的に出来にくく、特別な工夫（形状の変更等）をする事無しに、餌釣りに流用することは難しい。【００４０】尚、図面を引けば分かるが、掛かり時にピッチングで回転する角度は、同じフトコロ寸法なら、フトコロよりも上の軸が長い程小さくて済み、同じ全長なら、フトコロ寸法が狭いほど小さくて済む。この角度が、掛かりに不利になるのは、フトコロとフトコロの深さが同程度、つまり、フトコロより下の湾曲が、正方形内に納まる程度の場合は、全高がその２倍程度以下の領域である。フトコロより上の軸が十分長い釣り針では、少なくとも角度上の不利は、発生しにくくなり、この様な長型の釣り針でも、結合が良くないと、やはり掛かりが悪くなってしまうのは、ローリングと移行時間の所為と推定される。尚、軸が長い方や、フトコロが狭い方が、針先の角度上有利といっても、図２８の様���状態、つまり、釣り糸の延長線上に、針先が一致するまでピッチングした際に、魚の口唇の外側（顔面）に接触したり、フトコロが口唇に嵌まり込んで固着すれば、驚いた魚に遁走されたり、針先を刺す事自体が難しくなり、あまり餌を吸込まない魚もいるので、釣り針には、各社各様で、多くの対象魚用の形状とサイズがあるのはこの為である。耳の角度Ｔについては、掛かり始めの姿勢上は、小さい方が有利であるが、掛かってからの魚との引き合いや吊り下げ上は、前述した様に、制限がある。又、耳の角度制御機能が利用出来にくい、環の方向が、図６と直交方向の、ルアー用のフック等は長尺であったり、フトコロ自体は大きくとっても、相対的にフトコロを小さくする為に、軸の上部側をフトコロ側に曲げ込んで、そこにアイを付けたものが多い。又、このアイタイプの釣り針での釣りでは、向こう合わせでバイトしたり、魚が釣り糸を引き始めたら、確実なフッキングの為には、ローリングや移行時間の害を避ける為に、強くて瞬間的な合わせをしっかり入れる操作が必要である。【００４１】餌釣り用の、撞木の耳の釣り針においては、使用中でも釣り糸の出し口がフトコロと反対側や耳では支えが出来ない程側方にまわったら、この釣れなくなる現象は発生してしまうので、釣り糸の出し口に関する特許・実用新案の提出が多い。【００４２】魚は、水中では無重量であって、どんなに鋭い針先を持つ釣り針であっても、釣り糸からの力が掛からなければ、口唇・口腔には刺さらない。しかし、水中であっても無慣性ではないので、鋭く釣り糸を引いて（又は、魚が高速で下降しようとして）、且つ、釣り針の姿勢が制御・拘束されていれば、硬い口腔の魚や口腔内の骨等に当たっている場合でも、ぐらつかずにしっかりと、釣り針の針先を刺すことが出来る。魚釣りにおける合わせの作業は、釣果の大部分をも左右する重要な作業であって、その合わせの際の釣り針の姿勢は、当然非常に重要である。【００４３】以上の様に、結合されている位置は僅かな違いであり、釣り針の姿勢の違いも最終的には大きくはないが、釣り糸がテンションによって真っ直ぐになろうとする力を、掛かり時の釣り針の途中姿勢制御と有効な移行時間の拡大に、しっかり利用出来る構造や結合が出来るかで、重要な合わせの姿勢や、その状態を維持する移行時間に違いが生じ、結果としての釣果に大きな差が出てしまう。従って、距離ＡＢが有る事は合わせが効くかの重要な要素であり、餌釣り用の釣り針の耳（タタキ・チモト・アイ等）の役割を、釣り針を釣り糸に結合する際の、周回糸の軸方向滑りを止める周長増大や結合の役割のみとするのは、掛かりの面から見ると誤りと考えられる。特に、軸長の比較的短いもの、或いは、比較的フトコロ寸法の大きいもので、釣り針の端部付近に結合点が近い程悪影響が出る。従って、フトコロ側から正面視した場合に、幅が広がった耳形状ではなくても、軸の端部に１箇所の穴（釣り糸を繋ぐ穴サラエの耳と同等）があって、その穴と端部に、釣り糸を周回して結合するものは、本願発明の請求範囲から除外している。【００４４】この距離ＡＢが取れない（又は、距離ＡＢをとらないでも結合出来た）釣り針は、釣り針の吐出がうまく出来ないで走ったり反転して、特に合わせ���しなくても、釣り針に勝手に深く掛かる、向こう合わせの魚が対象の場合以外では、釣果に大きな影響が受け、釣れにくくなる。確かに、管付の耳の針の場合に、図１０の様の結合すると、餌釣りで、餌は取られても魚が釣れにくいのは、この距離がない（支える部分が無い）為であり、図１１、及び、その拡大の図３２の様に、フトコロ側から、釣り糸を耳の穴を通じて、フトコロと反対側に通して結合すれば、釣り糸の後ろを環が支えて、図３２に示す距離ＡＢがえられ、十分に有効な掛かり始めと合わせ時の働きが出来て釣れ易い。同様に、穴サラエの大物釣り用の釣り針類も、根付け方式の釣り糸の取り回し等も含めれば、同様の結合を行って使用している場合が多い。【００４５】以上の検討の結果から、掛かり性を重視する釣り針においては、針先（或いはフトコロ）側から見て、結合部の釣り糸の出し口（釣り糸の軸への結合点Ｂ）は、軸の正面（手前・フトコロ側或いは針先側）に有るべきで、且つその釣り糸の後ろ（フトコロや針先と反対側）には、釣り糸のテンションを、掛かり時の釣り針の途中姿勢制御に活用する耳（平面又は曲面又はその組合わせの面や、円環部分等を、フトコロ側に面して持つもの・釣り糸との接触点Ａの拠点となる部分）が配置される事、角度Ｔが適切な値で、少なくとも大き過ぎない事、掛かり時に釣り糸が引く方向に対して、針先が大きな仰角とならない事、及び、少なくともある程度以上の、ＡＢ間距離が得られる事が必須と考察され、耳の役割については、特許・実用新案の提出件数と、餌釣り用釣り針市場での撞木の耳の普及実績、及び、管付の耳や穴サラエの耳の、餌釣り時の使用方法がそれを裏付けている。従って、掛かり始めの釣り針の姿勢を決める、耳の長さ・角度Ｔ・幅等の全体形状や、結合部との位置関係、及び、針先の向き等は、十分に検討して設計・製作しなければならない。又、餌の体積を大きくして、潮の流れで釣り糸の張りを強くする事が、使用方法上のポイントのひとつである。【００４６】上記のポイントである、餌の体積を大きくして、釣り糸の張りによる力ｆを向上させる方法として、本願発明では、従来に無いオキアミの取付・使用方法を検討しなければならない。これは、ＡＢ間距離を出来るだけ大きく取る為に、耳を出来るだけ長くする等の対策をすると、必然的に長い耳や結合部が目立ってしまい、餌釣りの大前提である、釣り針を忍ばせた餌を魚に食べさせる事自体が難しいという問題が発生し、従来の取付・使用方法では、その解決は出来ない為である。餌の体積を大きくして、且つ、直列に取り付けられれば、多少太くて重い釣り針でも、うまく吸込み水流にのせて、口腔に入り込ませる事も期待できる。柔らかくて崩れ易いオキアミの、通し性を向上させる手段としては、結合部（釣り糸そのものを含む）の断面積が、大きくならない構成がもっとも好ましく、且つ、針先側から耳に向かって進行する釣り餌にとって、通過するべき部分の断面積が急増しない方（暫増する、又は、段階的に増加する）が好ましい。【００４７】従来形の釣り針１に、外掛け結びをした場合の、結合部断面の図８を拡大したものを、図３３に示す。軸径（直径）０．７ｍｍと０．９ｍｍの釣り針の軸に、それぞれ、２号糸（前記「釣りの科���」によると直径０．２３５ｍｍ）と３号糸（同じく直径０．２８５ｍｍ）を捲いて結合した場合の、軸そのものの断面積と、結合後の各位置断面積、及び、軸断面積（位置Ｖの値）を基準とした、断面積比（率）の表とモデルを、図３４に示す。潰した耳の断面積は、伸びを計算せずにそのままの断面積とし、モデル上は、そのまま円形状で、記号も軸３と表示する。結合釣り糸の末端Ｃ、及び、それを押えるターン部Ｃｗは、釣り糸３本分で計算する。主に、軸に釣り糸を捲回する事が原因で、最初に軸に沿わせた下糸（最終的に、軸に平行に固定されて出糸になるもの）の影響により、その上に捲回した糸が、部分的に、山型にふくれる影響を考慮しない単純計算でも、断面積は、軸を基準として３０２％と２８７％に増加し、しかも周方向への捲き始めのＹ位置部分で急増するので、生オキアミをここを通そうとすれば引っ掛かって、無理をすれば、身や外殻が崩れたり潰れてしまう。従って、釣りのガイドブック等に、オキアミの付け方として紹介されているのは、図１５〜２０に示す様に、釣り糸の結合部よりも釣り糸側迄は、オキアミを通せてはいない。更に、ボイルオキアミの場合、身のタンパク質分等は硬化・縮小しているので、生のオキアミよりも（固定性は良いが）、釣り針自体に通しにくく、当然、この結合部の捲き始めの部分から耳側へは通せない。更に、図１７〜２０の様に、オキアミを並列に多数個掛けると、体積が大きくなって、仕掛けが潮の流れの力を受け易くなるが、比較的口の小さな対象魚の口腔には入り込みにくくなる、或いは、口腔の奥まで入り込みにくくて、針先が深い位置に掛かりにくく、従って、掛けてもバラシやすいという問題も発生する。【００４８】同じく従来形の管付の耳の場合で、軸の径を０．８ｍｍとし、環部の線径は同じで、その円環の内径を０．４ｍｍとして、釣り糸の３号を、図３５の様に結合した場合の、軸そのものの断面積と、結合後の総（最大）断面積、及び、軸を基準とした比の表とモデルを、図３６に示す。環部の内側の空白部も、そこを通ずる釣り糸も、全部占有断面積として加えてある。先と同じく単純計算でも、断面積は、軸を基準として結合部のＹ位置で、３１９％まで急増し、耳の穴を比較的小さく設定した場合の、環部の３０４％よりも大きくて、モデル図で分かるように、軸に全周釣り糸を捲くことの影響が、非常に大きい事を示している。【００４９】これらの釣り糸結合部の断面積の急増の他に、餌の通し性を大きく阻害する要因として、釣り糸を結ぶ事によって発生する、末端の突き出し（図３２・図３３・図３５のＣ部）がある。最も一般的な、外掛け結び・内掛け結び・漁師結びは共に、釣り糸の末端Ｃが軸の腰曲がり側を向いており、例えば、オキアミ等の柔らかく裂け易い餌を使用する場合、この末端の突き出しＣが、軸とは別体的に、オキアミの身に食い込む事で、折り返しのある軸と同じように、餌付けを著しく阻害する。影響を小さくしようとして突き出しＣを短く切ると、魚が掛かって出糸（結び目）に負荷が掛かった際に、最終的に周回部の上を通って腰曲がり側に戻る釣り糸の端部Ｃを、抑え込んでいる下糸の輪（出糸の腰曲がり側折り返し部、図３２・図３３・図３５の例で、Ｃｗ）から、そのＣが外れ���、結び目が解けてしまう場合がある。特開平８−２５６６３９においては、この末端を納める溝が提案されているが、実際に試してみると、釣りの現場で、特に癖のつきやすい釣り糸の末端を、溝にきちんと納める結びをするのは容易ではない。以上の結果から、釣り糸を軸に全周捲いて結合する従来結合方式は、オキアミ餌の通し性を大きく阻害するので、代案を検討する必要があり、その代案は、釣り糸の末端処理Ｃ・Ｃｗの向きの問題をも解決する必要が有る事がわかる。これは、ＡＢ間距離を出来るだけ大きくとる、即ち、結合点から耳の端部までの距離を、大きく取る必要がある本願発明では、餌を利用して、耳と結合部や仕掛けを隠す為には、必須の課題となる。【００５０】上記段落（００２９）〜（００４９）の、課題に対する解析結果から、新しいオキアミ通し刺し専用釣り針においては、耳の角度や針先の角度に問題が無い限りにおいて、軸又は耳の、針先（フトコロ）側正面付近に、釣り糸の出し口が固定出来る、或いは、少なくとも軸の側面までは回る事がない様に設置出来る事、且つ針先（フトコロ）側から見て、糸の出し口の反対側に、掛かり時に釣り糸を支える耳（平面・曲面、又はその組合わせの面や、円環体を持つものの少なくとも一部）が有る事、その結合において、距離ＡＢが確実に得られ、他の問題が生じない限り、出来るだけ大きい事、且つ、軸の全周に釣り糸を捲きつけて出糸を固定せず、最大断面積の増加は、従来よりも極力小さくする事、且つ、オキアミを耳方向に通す際に、軸に大きな段差が出来ない様に、平面、又は曲面のスロープ等を設けて断面積を暫増にしたり、段階的に断面積を増加させる必要がある事、且つ釣り糸の結合部の末端Ｃ・Ｃｗを、オキアミの通し刺しを阻害しない処理にする事、以上が最低解決すべき課題となる。そして、その仕掛けの、使用方法としてのポイントは、オキアミを並列掛けではなく、直列に多数個通し刺しして、潮の流れによって仕掛けの張りを強く出来、水流に乗せて魚の口腔にスムーズに送り込む事となる。
【課題を解決する為の手段】
【００５１】図３７に、本願発明の釣り針の１実施例を示す。その釣り糸１０を結合した模式図を、図３８に示す。図３８の、釣り糸１０を結合してある、フトコロ８と腰曲がり４から針先７までの、湾曲部が構成する平面に略直交し、軸３の伸長方向にも略直交する、軸３をフトコロ８から正面視して、軸３の側面間に設けた、面取り３１を施した開口部を持つ貫通穴が、本願発明で新設した結合穴３０である。耳２ｄの、略円環部の線径を０．６ｍｍ、その穴径を０．４ｍｍとし、軸３直径Ｄ＝０．８ｍｍ、結合穴３０の内径ｄ＝０．３ｍｍとして、釣り糸１０ａ（モノフィラメント）の３号糸を、図３８の様に、クリンチノットで半周捲いて結合した場合の表とモデルを、図３９に、図３６と図３９の表の、軸３の断面積を基準（１００％）とした断面積比（率）の、位置毎の比較グラフを、図４０に示す。尚、本願発明では、管付の耳２ｄ部での断面積の急増は、通し性を阻害しやすいので、環部分の線径を小さくしており、結合穴３０部の、面取り部３１によって生じる結合部断面積の減少等は、考慮しない単純計算としている。モデル図上は、結合穴３０は、空白で示し、その分も軸３側の断面積に計上している。又、計算上、クリンチノットの最も軸に近い輪（半周部・Ｗ部）には、そこの上下を通じて折り返す２本分の糸断面積を足し、その上の撚りを入れた部分（Ｘ部）では、結合時に絞った際に、本線に対して撚った糸が螺旋状に捲きつくので、釣り糸３本分の直径の円断面積にした上で、先と同じく、行きと戻りの釣り糸２本分を足してある。図４０のグラフで分かるように、断面積比が、従来に比べると７９ポイント小さくなっているし、より段階的になり、又、環の線径を細くして、その断面積（Ｚ部）を減らしているので、従来よりもオキアミを通し易くなっている。
【００５２】次に、軸３の直径０．７ｍｍの釣り針に、釣り糸１０ａの２号を結合する為に、結合穴３０径ｄ＝０．２５ｍｍの穴を開けた、図４１の様な釣り針に、図４２の様に、クリンチノットで結合した場合の、結合部断面積等の表とモデルを図４３に、図３４の、軸３径０．７ｍｍで２号糸の場合の、断面積比との比較グラフを図４４に示す。最大部（Ｘ部）での断面積比は、２２７％となり、従来に比べる７５ポイント小さくなって、オキアミを通し易くなっている。
【００５３】次に、同様に、軸３直径Ｄを０．９ｍｍとし、図４５の様に、軸３にｄ＝０．３ｍｍの結合穴３０を開けて、３号の釣り糸１０ａを、クリンチノットで半周結合した場合の表とモデルを図４６に、図３４と図４６の比較グラフを、図４７に示す。断面積比が、従来に比べると７１ポイント小さくなって、オキアミを通し易くなっている。
【００５４】上記の３例の様に、軸３に開けた結合穴３０を利用して、クリンチノット等で半周捲く事で、実質の断面積比率が低下し、各結合図で分かる様に、Ｃ部の影響が無くなった事で、従来よりオキアミの通し刺しが行い易くなるが、改善数値が示す様に、それほど大きな低下でないので、相対的に大きなオキアミ、或いは、小さな釣り針において可能であって、作業性はあまり良くない。しかし、モデル図で分かる様に、結合部１５側に限って増加し、その反対側では、全く抵抗は増加しないので、確実に通し刺しは可能である。後述する、面取り３１の類を工夫すれば、すぐ問題ないレベルになる。
【００５５】以上の例を改善する、本願発明独自の結合での例を示す。図３７の釣り針に、図４８の様に、釣り糸１０ａの２号を通じて、図４９の様に、結び目１５ｂを作ってから、出糸を環に通して置く。Ｘ位置で釣り糸１０ａの２本分の増加となり、Ｙ位置（結び目１５ｂ）で、スポット的に、６本分の増加となる。図３６の表との比較をグラフ化すると、図５０のグラフと表の様になり、最大部がＺ位置に移って、それも、断面積比で１３１ポイントも改善され、オキアミの通し刺しは、簡単に可能となる。
【００５６】しかし、オキアミは大きさ（太さ）に限度があるので、断面積の絶対値が大きくなっていくと、当然通し刺しはやりにくくなる。仮に、オキアミの第一腹節２４等の最大径を、仮に７ｍｍの円形状として、その中に、外殻を膨らませるが、破損はさせずに潜り込める、断面積比の限界（仮の突入断面積率限界）を、２０％として試算すれば、約７．７平方ミリメートルとなり、この範囲内で、出来るだけ段階的、或いは、暫増で通し性を高める工夫が必要である。
【００５７】オキアミの通し刺しを更にやり易くする、又は太い軸３においてもオキアミを通し易くする為には、増加率を極力抑える必要があり、円環自体が大きな断面積を持っている、管付の耳２ｄではなく、他の耳２（２ａ・２ｂ・２ｃ）の方が有利である。図４９の結合の考え方を適用して、軸３の周方向に、釣り糸１０を半周捲いて取り回すのではなく、耳２（２ａ・２ｂ・２ｃ）の、軸３との境界部であるＥ部の後ろに、結合部１５を隠せる様に、釣り糸１０を軸３に、主に縦に取り回す必要がある。従来の軸端を潰した耳２（２ａ・２ｂ）においては、耳２のフトコロ８側面は、釣り糸１０の出糸が折れ曲らない様に、軸３のフトコロ８側に接する（近接する）様にプレス成形加工していたが、これを逆に、図５１の様に、フトコロ８と反対側の面が、フトコロ８と反対側に出来るだけ近接するように、オフセットプレス成形する。必要なら、複数回のプレスや、切削・研削加工等を追加して、境界部Ｅにきちんと形状段差を付けるとよい。接合穴３０を、フトコロ８側から見て、軸３の側面間に通ずる様に加工し、耳２（２ａ・２ｂ）と軸３の境界部Ｅの縁に、接合穴３０の両開口部と対として、耳側案内溝３５を２箇所設ける。この本願発明において、軸３に新設する結合穴３０の一例として、先の軸３直径０．９ｍｍに対して、直径０．３ｍｍの円穴を２個並べて、略接線２本で、滑らかに繋いだ連結円（長穴）の穴形状（心間距離０．３ｍｍ以上）の、結合穴３０を設けたものに、３号の釣り糸１０ａを二重結びにした場合の、図５２の結合部を計算した。各位置の断面積と、その軸３の断面積（Ｖ位置）を基準とした、断面積比の表とモデルを、図５３に示す。耳２のフトコロ８側にある、クリンチノット結合部の断面積計算値は、先と同じく、糸の約３倍の直径の円断面積＋釣り糸２本分の断面積としている。又、編みつけ部は、交互に捲きつけ向きが変わって螺旋状では無く、長手が釣り糸１０ａ径の約４倍で、幅の狭い惻で径の３倍となるので、モデル図に示した様に、その形状の長円（連結円）として計算している。尚、面取り３１や耳側案内溝３５の程度によって生じる結合部断面積の減少や、耳２（２ａ・２ｂ）部の潰し成形時の伸びによる、断面積の減少等は考慮していない単純計算である。位置Ｗの値は、釣り糸１０ａを、一重で結合した場合に相当し、又、その場合は、結合穴３０部の断面が、連結円穴（長穴）や、楕円穴等である必要はなく、円形でも良い事になる。図３４の従来方式と、図５３の本願発明の、位置毎の軸基準の増加率を、わかりやすくグラフ化したものを、図５４に示す。実線と、実線矢印の進行方向で示す様に、本願発明の図５２の結合部では、３号の釣り糸１０ａ使用時のＷ位置（一重結び相当）で、従来結合は１８７％増加したのに、約１／９分の２０％増加に留まり、Ｘ位置（二重結びに相当）で、約１／４分の４０％増加に留まっており、軸３部より、殆ど抵抗が増加する事無く、オキアミを、耳２部までは通し刺しできる。耳２部では、結合部１５の釣り糸１０ａクリンチノット分（Ｙ位置）の所為で、約２／３分の１１０％まで増加するが、図５２で分かる様に、オキアミの進行方向（軸３から耳２に向かう方向）に対して、軸３との境界Ｅ部に結合部１５が隠れるので、軸３の側面に結合部１５がある場合よりも、確実に影響が少なく、オキアミが非常に通し易い。又、編み付け部１８（Ｚ位置）は、計算上、クリンチノット部よりも１９％増加しているが、段差が小さく、通し刺しには問題がない。
【００５８】穴サラエの耳２ｃについては、その耳面を、図５１の耳と同様に加工し、図１の様に、フトコロ８と腰曲がり４−先曲がり５で構成する略平面に、略平行（フトコロ８と、フトコロ８と反対側間）に、軸３部に結合穴３０を加工し、Ｅ部のフトコロ８側正面に、耳側案内溝３５を１箇所設け、例えば、図５５の様に、釣り糸１０ａを取り回してから、図５６の様にクリンチノットで結んで結合すれば良い。軸径を０．９ｍｍとし、釣り糸１０ａを３号とした場合の、各位置の断面積と、その軸３の断面積を基準とした断面積比の表とモデルを、図５７に示す。図３４の従来方式と図５７の本願発明の、位置毎の軸基準の増加率を、わかりやすくグラフ化したものを図５８に示す。耳２ｃ部では、結合部１５の釣り糸１０の所為で、先と同じく、従来の２／３程度までは増加するが、図５６で分かる様に、オキアミの進行方向に対して、軸３の端部Ｅ部に結合部１５が隠れるので、軸３のフトコロ８側正面（側面）に、結合部１５がある半周結合の場合よりも、確実に影響が少なく、非常にオキアミが通し易くなっている。従って、上記２例共に、従来利用される事の無かった境界部Ｅの形状を、通し性の補助にうまく利用出来ている。
【００５９】管付の耳２ｄについても、図５９の様に、軸３に、フトコロ８と腰曲がり４−先曲がり５が構成する略平面に、略平行方向に結合穴３０を加工し、同じく図６０の様に、釣り糸１０ａを通じてから、クリンチノット等で結んで結合すれば良い。釣り糸１０ａを結合した軸３部分の断面積は、先の図５３・図５７に準じて増加し、耳２ｄ部分では、環の内側（穴）のフトコロ８側に、半分結合部１５を入れてしまう事で、確実に環プラスアルファの断面積程度に納める事が可能となり、管付の耳２ｄ部で大きく増加する分は、線径と環の形状や、軸３からの立ち上がり部の角度を狭くする等で対処すれば、非常にオキアミを通し易くなる。この結合も、耳２ｄの穴自体を、結合部の断面積増加の防止に、有効に利用出来る。
【００６０】更に、撞木の耳２（２ａ・２ｂ）の釣り針で、軸３をある程度太く製作して、釣り糸１０用の結合穴側案内溝３３・耳側案内溝３５を通絡した形の、釣り糸収納溝３９を設けた図６１、及び、穴サラエの耳２ｃの釣り針で、軸３をある程度太くして、同じく釣り糸収納溝３９を設けた図６２、及び、管付の耳２ｄの釣り針で、軸３をある程度太くして、同じく釣り糸収納溝３９を設けた図６３の、各本願発明については、少なくとも軸３部に関する限り、結合断面積の増加を０に抑える事も、溝の幅・深さ次第で可能となる。結合の方法は、例えば図６２の釣り針に、図６４の様に釣り糸１０ａを取り回し、撚りを入れた部分の上に、結び目１５ｂを作る方式とする。撚りを入れているのは、掛かり時に、２本の釣り糸１０ａが開いて、耳２ｃを迂回する事を防止する為で、撚りを入れる事で、太い釣り糸１０ａ使用でもクッション性が向上出来る。この場合、オキアミを適用できる軸３の径は、先の試算した突入断面積７．７平方ミリメートルと、軸３を潰した耳２ｃ部の断面積、及び、耳２ｃ部前の釣り糸１０ａの断面積（２本分換算）で決まり、仮に、強靭な直径０．７３６ｍｍの２０号糸を使用すると、耳２ｃ部の断面積と、２０号糸２本分を、突入可能断面積に合わせて割り出した、軸３の可能直径は、約２．８ｍｍとなり、その数値と断面積比のグラフを、図６５に示す。耳部の押圧変形前の元径を小さくする事で、潰した耳２ｃ）の断面積を減らして、軸３を最大断面積に充てる（軸３の断面積を７．７平方ミリメートルにする）前提の計算では、軸３の可能直径は、約３．１３ｍｍとなる。従って、中級のマグロ等の、大型魚にも充分対応できる剛強な釣り針の製作が可能となる。結合穴３０と対にした、釣り糸収納溝３９のメリットは、上記の断面積だけではなく、釣り糸１０ａを魚の歯等による損傷から、部分的に保護する役目も果たす事が可能である。これらの、断面積比が大きくならない結合が可能な釣り針は、小さな釣り針においても、より小さなオキアミの利用が可能となる。
【００６１】結合を更に簡易化して、作業時間を短縮する為に、結合穴面取り３１や、結合穴側案内溝３３の考え方を、更に進めると、結合穴の開口部の、少なくとも片側に円筒状の座ぐりＮを設ける事も出来る。軸３の残存断面積が強度的に問題なければ、図６６の様に、結合穴３０のフトコロ８側に、座ぐりＮを設け、図６７の様に、釣り糸１０を通じた端を結び目１５ｂにして、図６８の様に納めると良い。結び目１５ｂの直径は、きちんと締めると、長手で釣り糸１０径の約４倍有り、幅の狭い方に測定して約３倍となるから、それに準じて、座ぐりＮの直径は、適用する釣り糸１０の直径の４倍以上とし、図６７に示す、そのＮ部での、軸３の稜部からの（最大）深さｎは、少なくとも釣り糸の半径の影響を避けられる様に、釣り糸１０直径の１／２程度以上が好ましい。この結合は、釣り糸１０にテンションが掛かった際に、結び目１５ｂ付近での応力集中が大きく、釣り糸１０の結合強度上は、問題があるが、糸の種類を工夫すれば、結合自体が簡単で速く出来るし、計算するまでもなく、結合部の断面積増加が無いので、オキアミの通し刺しが非常に楽に出来る。
【００６２】尚、以上の各比較グラフの、耳２に向かう経路（矢印が沿った線）の断面積比が、結合部１５が無い位置でも元の１００％に戻らない部分は、釣り糸１０（出糸）の断面積の影響を示している。又、従来方式・本願発明で経路の線が曲線化している部分は、釣り糸１０そのものの曲面の影響を表わしている。グラフ化の都合で、釣り糸１０の半径相当の断面積比付近までは、直角の段差相当表記とし、図６９に示す、本来通し性を大きく阻害する、周回する釣り糸１０と軸３との隅部Ｉの影響の、計算・視覚化は出来ていない。本願発明の半周結合の場合は、このＩ部の影響は、各モデル図でも分かる様に、理論的に、半分強に納まる事になる。しかし、他の結合方法に比べて、通し刺しはやりにくく、この影響を極力抑える為にも、請求項１の面取り３１は必須で、出来るだけ大きく丁寧に加工する必要がある。
【００６３】軸３に結合穴３０を加工した場合の、残存断面積の比率と例を、図７０の表に示す。結合穴３０を軸３の中心狙いで開ければ、残存断面積は、軸３直径Ｄと結合穴径ｄの比率で一意的に決まる。本願発明の計算例では、半分程度は残したいので、軸３径Ｄに対して、結合穴径ｄの割合は、最大でも３／８以下で、約５３％以上の残存断面積率としている。耳２の近傍の軸３に、結合穴３０を開けても強度上の問題が生じない事は、金属材料の引張り強度で計算すれば、釣り糸１０類の強度に対して、十分な安全率がある事がわかるが、実用に供されている釣り針においても、約４０％程度の残存断面積しかない、大型魚専用の、穴サラエの耳２ｃの釣り針が市販されている事でもわかる。しかし、職漁用の釣り針としては、引きの強い対象魚・強い合わせの必要な硬い口唇の対象魚について、残存断面積率をなるべく大きくとって、安全率を大きくしておく必要がある。従って、同じ結合穴３０径に対しても、軸３径は基本的に大きく取る程好ましい。
【００６４】結合穴３０、及び、結合穴面取り３１を加工したら、残存する軸３の断面積が、特に小さくなり過ぎて好ましくない場合に、これを防止し、且つ、特許３０５５０８７、実登３０１９９６７、及び、実登２５１９０５６等の請求範囲を避ける方法としては、請求項３の様に、結合穴３０を加工する部分の軸３直径Ｄを、予め軸３全体として、或いは、部分的に、断面が丸いまま大きくしてＤａにしておく方法と、請求項４の様に、軸３の一部を、フトコロ８及び湾曲部（腰曲がり４−先曲がり５間）で構成する平面に、略平行な方向（軸３の側面）から、局部的に凹曲面加工、例えば、図７１の凹球面や、図７２の凹円筒面に潰して、部分的に軸３直径ＤをＤａに大きくしてから、その上更に、結合穴３０を加工して、明らかに単なる平面では無くする方法があり、従って、単なる径の拡大と、凹曲面プレスの単独、及び、その組合わせが実施可能である。軸３は、円筒状である為、この局部的な凹曲面加工を施しても、径が大きくならない領域もあり、その場合でも、若干の残存断面積上の残存効果はあるが、請求項４は、凹曲面加工のみでは成立しない。径が広がらないが、軸３部に結合穴３０を持つものは、請求項１が内包する。又、単なる径の拡大部Ｄａについては、少なくとも段差がある程度以上大きくなれば、腰曲がり４方向から通ずるオキアミを、スムーズに通す為には、テーパー形状にしておく等の、暫増対策が必要で、この様にする事で、先の突入可能断面積から割り出した直径付近までは、オキアミの通し刺しは可能である。
【００６５】次に、請求項５にある、図７３の様に、耳２側の結合穴部面取り３１、或いは、結合部１５を設ける方向の、結合穴部面取り３１をより大きくすれば、図７４のように、釣り糸１０の向きが、耳２方向に若干斜めになって、且つ、釣り糸１０の、軸３からの突出自体が、その大きな面取り部において、軸３側に沈む効果も得られて、半周結合の際にも、断面積がより暫増に近くなるようにする事が可能となる。
【００６６】更に、結合部１５の半周部を、確実に耳２側に寄せて斜めにする為には、請求項６にある様に、結合穴３０の２箇所の開口部と対にして、図７５の様に、結合穴３０の縁から、釣り糸１０を部分的にガイドする結合穴側案内溝３３を細工して、図７６の様に結合すると良い。この結合穴側案内溝３３の特徴としては、その除去断面積が、結合穴３０の縁からの距離に略反比例する様に、深さを変えて加工する事である。
【００６７】又、半周結合専用として、請求項８にある様に、結合部１５を設置する部分に、図７７の様に、略凹球面、又は略凹円筒面、又は略凹曲円筒面の座Ｍを付けてもよい。座Ｍを設ける位置は、図７８の様に、基本的に、結合穴を設ける位置よりも耳２側にずらして、結合穴３０と重ならない（残存断面積が小さくなり過ぎない）様に設置し、結合時に半周捲いた部分の釣り糸１０が、軸３に対して斜めになる様にする。座Ｍの、軸３の稜部に対する最大深さｍは、できれば、図７９の、軸３に直角なＸＸ断面に対する、座Ｍ方向のＹＹ断面の様に、軸３と結合穴３０を巡る周長が、座Ｍのある方向で最小になるようにする事が望ましい。座Ｍは、周方向への結合部１５のずれ防止と、通し刺しに抵抗する断面積の増加防止に、共に効果があり、結合上の注意を、説明書で行う必要がある。
【００６８】座Ｎを利用する場合以外の、釣り糸１０の結合部１５、或いは、結び目１５ｂを作る基本位置は、領域図８０の様に、撞木の耳２（２ａ・２ｂ）ではフトコロ８側で、穴サラエの耳２ｃ・管付の耳２ｄでは、フトコロ８側とフトコロ８と反対側のどちらでも良い。本願発明では、従来の使われ方とは異なり、図８１の様に、管付の耳２ｄの円環部のフトコロ８側の面を、撞木の耳２（２ａ・２ｂ）の、フトコロ８側の面と同じ役目として十分使う事が出来、歯が鋭い魚以外では、フトコロ８側正面を使う選択が可能である。この場合、他の潰した耳２（２ａ・２ｂ・２ｃ）の場合に必要な、周囲エッジの面取りが不要となり、潰した面の縁で、釣り糸１０を傷める問題は当然生じない。
【００６９】これらの耳２（２ａ・２ｂ・２ｃ・２ｄ）で、軸３に結合穴３０を設ける位置については、魚を掛ける際に、湾曲の内側に大きな集中引張り応力が発生する、腰曲がり４から先曲がり５とは条件が異なり、軸３部であれば、特に大きな問題はなく、対象魚によって、引張り強度や曲げ強度（或いはその安全率）が不足する場合は、耳２を成形する部分を除いて、軸３径を大きくする等の前述の対策を取れば良い。耳２（２ａ・２ｂ・２ｃ・２ｄ）の場合、出糸の位置決めに関係する、最も耳２に近い結合穴３０の位置を示す領域図８２に示す、耳２に近い軸３部分は、全種設置可能である。結合穴３０の中心位置は、軸３直径をＤとし、結合穴３０の半径をｄ／２として、図８３のＸＸ断面例の位置において説明すると、耳２（２ａ・２ｂ・２ｃ）を潰した位置Ｅ、或いは、耳２ｄの環の穴の軸３側Ｆから、Ｄ＋ｄ／２付近が、結合穴側案内溝３３・耳側案内溝３５を、出来るだけ大き目（適切な大きさ）にしたら、釣り糸１０取り回しの直径が、従来の軸３への全周捲きより大き目から、同じ程度になる領域である。耳２に極端に近すぎると、図８４のＸＸ断面例のように、軸３に対して縦に取り回す場合には、縦糸の回り込みの曲率が、軸３の側面で小さくなり、釣り糸１０の強度上はあまり好ましく無く、又耳２の付け根の強度にも影響が出るので、それさえ避ければ、設置位置は結合方法で決めれば良い。又、フトコロ８側に、釣り糸１０の結合部１５を持ってくる耳２（２ａ・２ｂ）の場合、図８３・図８４に示した、耳２のＥ部から結合穴３０までの距離Ｈが大きすぎると、今度は、掛かり時に、耳２が釣り糸１０を支えなくなるので、ある程度実験的に、位置の限度を決める必要がある。距離Ｈを決める、結合穴３０の位置を、従来の結合方法での出糸の位置よりも、腰曲がり４側に若干下げられると、従来の釣り針の掛かり性をも若干向上させる、距離ＡＢを伸ばす改造が可能である。
【００７０】一方、穴サラエの耳２ｃ・管付の耳２ｄの場合、釣り糸１０を端部の耳の穴に通す事で、耳の後端（Ｇ側）と針先７（或いはフトコロ８）間に、出し口（出糸）を必ず持ってこれるので、図８２の様に、結合穴３０を設ける位置は、軸３の腰曲がり４近辺まで可能である。従って、結合の方法に、通し性や強度上の問題がなければ、距離ＡＢが、飛躍的に伸ばせる。この様に、耳２に対して、最も近い結合穴３０を離しているものは、穴サラエの耳２ｃ・管付の耳２ｄでしか成立せず、耳２が、直近の軸３となす角度Ｔがプラスの場合、フトコロ８と反対側に結合部１５を作り、Ｔがマイナスの場合は、フトコロ８側に作れば良い。基本的に、歯が鋭い又は頑丈で釣り糸１０を噛み切る魚が対象の場合には、軸３をその歯等に対する盾として利用出来るので、Ｔをプラスにして、穴サラエの耳２ｃ、又は、管付の耳２ｄの釣り針、又は仕掛けを推奨・販売するべきと考えられる。
【００７１】以上の様に、本願発明では、軸３の、耳２近辺から腰曲がり４手前までの広い範囲に、対象魚や結合方法に合わせた、色々な形状の結合穴３０を設けて、釣り糸１０を、軸３に縦に捲いたり、軸３に半周結合したり、結び目１５ｂで半固定して、従来よりも通し性を向上させている。そのために、請求項１に示した様に、従来からの耳に、穴を持たない釣り針には、少なくとも１個以上の結合穴３０を軸３に設け、或いは、従来からの耳に、既に穴や略穴を持つものには、更に、少なくとも１個以上の結合穴３０を軸３に追加している。そこで、主たる負荷（合わせの際のショック荷重や、やり取り・釣り上げまでの引張り荷重）は、従来と全く異なり、軸３の結合穴３０にかかり、耳２（２ａ・２ｂ・２ｃ・２ｄ）各種には掛からなくなる。そこで、金型関係の費用（交換段取り時間等をも含む）を抑える等の、メリットが見込める場合は、実施例で詳述する、耳２を別に製作して接合するという、従来に無い選択を取る事も初めて可能となり、それで耳２形状の自由度をも向上させる事も出来る。
【００７２】本願発明では、以上の様な断面積増加を抑える効果の他に、結合した釣り糸１０の末端Ｃが、釣り糸１０本線（釣り人・出糸）側、又は、結合部１５の側方を向くので、餌通しの阻害要因として影響が小さく、かえってＣを長目に取る事によって、本願発明の仕掛けの、各結合図でわかる様に、突き出しとして利用できる。しかし、このオキアミの戻り（ずれ）や脱落を防止できる機能が強すぎると、オキアミの取付時に、不具合を生じる事もあり、取付・使用の説明書に注意書きが必要である。
【００７３】尚、グラフで示した従来結合方式のＣ及びＣｗの断面積は、グラフ上では大きくないが、折り返しや刺し針と同じく、Ｃが軸３とは独立的に突き出して、オキアミの身に食い込んでしまうで、影響は非常に大きい。
【００７４】本願発明の試作品に、結合部１５を作り、耳２より上の釣り糸１０まで、オキアミの複数個通し刺しをした場合、半周結合品では、きちんと面取り３１を加工すれば、比較的大きなオキアミでは可能で、他の結合方式の場合は、問題なく可能であった。
これで、段落（００２７）の課題の▲１▼は、解決となった。
【００７５】結合については、本願発明では、掛かり時の姿勢制御の役割で、従来形の耳２（２ａ・２ｂ・２ｃ・２ｄ）を、釣り糸１０の出し口を中心として、針先７（或いはフトコロ８）と反対側に、少なくとも一部は残しており、釣り糸１０との結合を、耳２の役割から切り離して、軸３に設けた結合穴３０を利用して行う。従って、結合の共通の特色としては、掛かり時には、針先７と結合部１５は、最も離れた位置で力学的に安定しようとし、且つ、結合部の少なくとも一部は、必ず結合穴３０を通じているので、結合部１５の結び方が多少緩い場合でも、釣り糸１０の出し口の固定性の問題が生じない。
【００７６】円筒状の座ぐりＮを設ける場合は、図８５や、図６８の様に結合すれば、簡単で良いが、結合長さが短い事で、結び目１５ｂ付近の、釣り糸１０への応力集中が分散出来ず、この付近で切れ易い。この対策は、請求項共通の結合方法で詳述するが、この単純形状では、強力な編み糸１０ｂやワイヤー１０ｃを用いた方が良く、この場合の、釣り糸１０の余りのＣ部長さについては、オキアミの通し刺し自体を利用して、耳２側に向けて沿わせるためには、比較的長めにした方が良い。
【００７７】既に、オキアミの通し性の部分でも述べた、本願発明の釣り針に対する、釣り糸１０の各種の結合方法については、基本的に、軸３の全周に釣り糸１０を捲かないようにし、掛かり性や通し性を損なわない結合をすれば、指定以外でもかまわないので、従来からの、釣り糸１０をサルカン等に結ぶ、チチワ方式を含む多彩な方法、及び、結び目１５ｂを利用する簡易な結合方法、及び、後述する特殊な新結合が使えるから、従来の軸３に釣り糸１０を捲く方法より簡便、又は自由度大である。更に、従来の、軸３に釣り糸１０を捲きつける方法で問題となる、固定不足による釣り糸１０（出糸）の周回については、半周結合時にも、理論的に半周未満しか回転は有り得ず、座Ｍ等でその対策も可能で、他の結合では、出糸の位置固定が出来、必ず結合穴３０を通じている事で、全周周回して出糸を抑える場合に生じる、樹脂製ハリスの伸びによる、耳２（２ａ・２ｂ）からのすっぽ抜け事故は、全く発生しないというメリットがある。
これで段落（００２７）の課題の▲２▼は、解決となる。
【００７８】次に、オキアミの固定性は、通過させた耳２（２ａ・２ｂ・２ｃ・２ｄ）側の末端、つまり各図の耳２の終了部Ｇ部が、オキアミの腰曲がり４側への戻りを阻害するので、軸３に設けた小さなケンや、軸３及び腰曲がり４等に設けた凹凸、表面の塗装等以外に、戻りを止める手段がない従来の釣り針とは、とても比較にならないほど強化されて、ずれや脱落を少なく出来る。この場合、本願発明では、従来の石鯛釣り用釣り針の様に、硬い貝類の餌は使わないので、穴サラエの耳２ｃタイプでも、ある程度大きな幅に潰して製作して、釣り糸１０の受け面を作る事の方が、重要である。オキアミは柔らかいので、手で千切ったりして、後述する前処理を施せば、大きな断面積や幅用に細工出来、大きな幅の耳を通過させる事自体が、固定性を良くするポイントにもなる。従って、従来形の、狭い穴サラエの耳２ｃに似た特開２００１−０２８９６８・意匠１０７７４６３・意匠１０７７８９０・意匠１２００５４２の釣り針の様な、特別の餌止め突起は設けない。又、結合穴３０加工後の、残存断面積を確保する為に、軸３径の部分拡大をしたものについては、耳２側の段差によっても餌止めが可能である。更に、前述の如く、釣り糸１０の末端Ｃにも、この機能を持たせる事ができ、適切な長さのＣ部は、独立的に、オキアミがずれたり脱落したりしない様に、身に食い込むので、餌止めの機能が補助出来る。
これで、段落（００２７）の課題の▲３▼は、解決となる。
【００７９】掛かり性の向上は、主に段落（００３５）で説明した様に、距離ＡＢを大きくする事で、釣り糸１０のテンションが小さくても姿勢が安定し、針先７が刺さり易い角度・ローリング回転の停止・有効な角度の時間の伸長という状態が、維持出来るようになるので、従来よりも掛かり性が改善できる。手前合わせの魚は勿論、向こう合わせ魚に対しても、更には、釣り糸１０の張りが弱い状態でも、釣り針の姿勢制御が従来よりも良くなり、これに伴って、同じ軸３−針先７の太さの元でも、掛かり性が従来の釣り針よりも改善できる。
【００８０】穴サラエの耳２ｃの場合は、末端と耳２の穴が、比較的近接している従来の釣り針とは異なり、耳２の釣り糸１０を支える寸法を、特に重視する本願発明の場合、図１の様に、出来るだけ軸３に近い部分に、耳２ｃの穴を開けて、図５６の様に、軸３に縦に結合する事で、後述する耳２ｃの起点と定義した位置Ｋから、末端Ｇまでの寸法であるＬが大きく出来る。但し、軸３の腰曲がり４付近に、結合部１５を設置し、釣り糸１０を、軸３のフトコロと反対側を通すタイプは、あまり軸３側との境界Ｅ部に、耳の穴が近いと、釣り糸１０に、Ｅ部で屈曲を生じるので、従来形と同様の穴位置にすれば良い。本願発明は、軸３に釣り糸を全周周回しない場合でも、例えば、従来の、図１０の様な、端部Ｇと耳の穴を周回しての結合や、図１２の様な、従来の、首振り結合をしてしまえば、本願発明が、その目的のひとつとした掛かり性の向上が達成出来ないので、説明書に詳しく類例を挙げて、結合方法を指定する必要がある。
【００８１】図３８の様に、耳２（２ｃ・２ｄ）の場合で、釣り糸１０を軸３のフトコロ８と反対側に取り回せる様に、角度Ｔ及び耳の穴を設定したものについては、従来の数倍〜十数倍にも距離ＡＢを離す事が可能で、更に、軸３を釣り糸１０の盾として利用する事も出来、口腔の硬い魚に対応する釣り針として最適である。
【００８２】更に、耳２ｄで、従来の単純に丸い円環部を、請求項９の様に、図８６〜図８９に示す、略扇形・略三角形・略楕円形・略連結円形、及び、その組合わせに変更して、オキアミの通し性を確保すると同時に、長手寸法を大きくとる事が出来る。更に、耳２ｄに近い軸３付近に、結合穴３０を設ける場合には、図９０の様に、耳２ｄの環の末端Ｇ側を潰す事でも、結合点Ｂと、釣り糸１０のＧ部との接触点Ａとの距離を、大きくする事も可能である。フトコロ８側から見て、略扇形・略三角形の耳２ｄについては、図９１の様に、上面から見て、フトコロ８側に凹部が向くように曲げたものは、釣り糸１０の受けが改善されるメリットが生じる。又、略楕円形・略連結円形等のものについては、図９２の様に、側面から見て、Ｇ部付近をＴよりも若干大きく、角度Ｔａまで追加曲げしたものについては、同じく耳の厚み方向の寸法が大きくなり、曲げ部が最高点になる事で、相対的にＧ部が低くなり、釣り糸１０の受けが改善されるメリットが生じる。
【００８３】尚、従来の釣り針で、耳２が短く作られていたのは、オキアミ等の餌では隠せないので、この部分を目立たないように小さくしていたが、課題▲１▼の解決で、結合部がオキアミを通すので、基本的に、耳２（２ｄの線径の大きいものは、工夫次第）でもオキアミを通す事が出来、請求項２の様に、掛かりを良くする為の、耳２の長手サイズの変更が可能となった。
これで、段落（００２７）の課題の▲４▼は解決となる。
【００８４】請求項１について補足の説明をすると、軸３から、魚に刺さる針先７までの距離としてのフトコロ８が１箇所であることは、釣り餌としてのオキアミを、通し刺しにして、耳２を越えて釣り糸１０まで、少なくともその一部を通す為には必須であり、錘付（耳部の釣り糸１０用のガイド付属物等含む）・刺し針付・保持軸付等は、その通し刺し自体を阻害するので、除外している。折り返し付（サカサ鉤等）についても、同じく通し刺しを著しく阻害するので除外してある。
【００８５】請求項２の補足として、本願発明に関する、耳２（２ａ・２ｂ・２ｄ）の長手寸法の起点の定義は、軸３よりも確実に幅が大きくなっている位置を起点とする為、図９３に示すように、直近の軸３径Ｄ（該偏平・異形等の場合は、その最大径）の３０％（１．３Ｄに）幅が増加した位置Ｊから、端部Ｇまでの長さＬと定義している。耳２ｃについては、穴を設けられる程軸３が太ければ、幅を大幅に広げる必然性は無く、釣り糸１０を、フトコロ８側正面で受けられる略平面さえあれば良い。元の円筒状から幅を広げずにプレス加工したり、極端には除去加工でも、平面を作ることは容易に可能である。従って、穴がある部分付近でフトコロ８に面した略平面があるものは、その穴を利用して釣り糸１０を結合する、耳２ｃタイプであると見なせる事、及び、本願発明では、耳２ｃの穴の軸３側位置が、先とは取り回しが異なるが、釣り糸本線（出糸）の拘束起点となっている場合も多いから、図９４の様に、耳２ｃの穴（特に幅を広げていなくても、端部の略平面等を伴う単一穴は、耳２ｃの穴であって、本願発明では、例えば、耳２ｃ類の穴単独しか無いものは、請求項上は有り得ない）が、軸３に最も近接した位置からＧまでとしている。図１の符号無しの穴は、耳２ｃの穴で、従来品よりも距離ＡＢを大きく取り、且つ、結合穴３０を利用する釣り糸１０の取り回しをやり易くする為に、その設置位置を軸３側に寄せてあるだけである。
【００８６】請求項に共通する、オキアミの前処理方法・使用方法について詳述する。図１３に示す様に、頭胸甲２０ｅから尻尾（尾節２０ｈ・副棘２０ｉ・尾肢２０ｊ）までの間に、腹節２０ｎ形状部が６箇所ある内、少なくとも肛門前棘２０ｋ（頭胸甲２０ｅ側から６節目の腹節２０ｎ形状部）の途中か、又は、その５節目との継ぎ目等から千切り、又は、切り取らないと、挿し込み部の径が小さすぎて、通し刺しがうまく出来ないので、図１４のように切断し、これを、前処理した、頭胸部２０ｆ（一連の眼２０ａ・鰓２０ｄ・胸脚２０ｍ等含む）付の、オキアミ２５とする。これを、２個直列に通し刺しした例を、図９５に示す。先に通したオキアミ２５は、少なくとも釣り針の耳２よりも釣り糸１０側（上側）に、腹部（腹節２０ｎ全体、或いは、その一部でも良い）が位置するまでは押し上げ、耳２及び結合部１５が、完全にオキアミ２５で隠れるようにする必要がある。この際の要領としては、右利きの場合、従来同様に、耳２側を右手の指で持って、左手の指で把持したオキアミ２５を、先曲がり５が露出する迄、釣り針で通し刺しする。次に、図９６の様に、実線で示す左手の指で、先曲がり５−針先７間を保持し、オキアミ２５全体を右手の指で軽く挟んで、図９７の様に、再び耳２・結合部を持つのに、邪魔にならない位置まで、釣り糸１０上をスライドさせる。釣り針の全体がオキアミ２５から露出したら、再度、破線で示す右手の指で耳２側を持って、同様に、２個目のオキアミ２５を先曲がり５まで通し刺し、又は、縫い刺しする。最後の１個（この場合、２個目）は、結合部１５を越えて、耳２より上迄は通さないので、固定性を考えると、縫い刺しも可能である。最終的には、針先７・アゴ６と先曲がり５部分は、従来と同様に掛かりを良くする為に、オキアミ２５から必ず突き出しておくので、左手の指で、再度先曲がり５−針先７間を保持し、オキアミ２５全体を、右手の指で軽く挟んで、この場合、２個目の、最後に針先７に通じた部分が、腰曲がり４まで達する様に、右手の指で位置決めする。最後に、図９８のように、最初に通じたオキアミ２５が通じてある部分より上の、釣り糸１０を、左手の指で掴んで、先に通したオキアミ２５を、結合部１５や耳２等を隠せる適切な位置まで、右手の指で引き降ろす様にすれば良い。餌の動き（折れ曲り）を良くする為には、耳２と釣り糸１０本線の境界と、オキアミ２５同士の境界を一致させる様に、位置決めすれば更に良い。以上の要領でわかる様に、耳２から先曲がり５迄の、部分長さよりも長すぎるオキアミ２５では、手の持ち替えが出来ず、実際には取付・使用出来ない。この場合の長さとは、取付可能な直径と構造を持つ部分であって、細かいひげ・触腕・脚等は、常識上含まない。短いオキアミ２５を沢山取り付ける事は、手間が掛かるだけで問題がないが、その場合も、結合部１５や耳２を隠す為には、持ち替えは必須である。但し、耳２から先曲がり５付近迄の、部分長さの、半分以下のオキアミ２５、又は、該部分長さが、オキアミの２倍以上ある釣り針の場合は、釣り針部の持ち替えをしないでも、２個の通し刺しが可能となる。この持ち替えや引き降ろしを必要としない、結合部１５付近から針先７までの間に、２個以上取り付ける使用方法は従来と変わりないので、当然請求項から外れている。適切な長さに短かく前処理した、或いは、必要に小さいサイズの、オキアミ２５を使用するので、釣り針近辺の仕掛け全体をカバーするのに、１個ではカバーしにくいから、２個以上の複数使用と、直列での取付を請求するのは、理由がここにある。請求項にある適切な前処理（長さ）も、この取付方法の場合は欠かす事が出来ない。オキアミ２５を通す（仮置きする）釣り糸１０側は、長さはいくらでも良いので、使用個数の、上限側は必要がない。オキアミ２５の取付する向きについては、ランダムでもかまわない。又、耳２が長い事は、この取り付け作業をやり易くするので、使用方法からも合理的となる。従来から使用されている、オキアミより小型のアミ類（オキアミとは、科と目が異なる）を刺し餌、いわゆるサシアミとして利用する場合は、小型である為に釣り針に直列に（針先７から、耳２付近までの全長に沿って）、２個程度取り付ける場合があったが、オキアミよりも外殻が柔らかく、釣り糸１０の全周捲きの結合部を越えてはとても通せない事、持ち替えて通そうとしても潰れ易い事等で、直列といっても、本願と同様のものでは無かった。これは、釣り針１の全長に比較して、半分以下の小さいオキアミやエビ等の図例でも同じである。従って、この本願発明の、釣り針や仕掛けの、オキアミの取り付け・使用方法も、途中で持ち手を替える事、最後の引き降ろしを必要とする事や、オキアミを適切な長さにする前処理要領も含めて、本願発明の使用において、先に述べた様に、必要不可欠のものであるから、取扱説明書に必ず詳述する必要がある。尚、試行の結果から、結合部の余りＣ部については、オキアミ２５の戻りを防止する機能が強く、あまり長くし過ぎると、上記の、先に通じたオキアミ２５の引き降ろしの作業がやりにくくなるので、注意が必要である。尚、この使用方法には、魚が最も好む、オキアミ２０の頭胸部２０ｆや眼２０ａが多数取りつけられる、図１９の房掛けと同等の利点があって、且つ、同取付・使用方法よりも時間は掛かるが、より脱落しにくく、直列である事で、口腔により入り込み易いという特徴がある。尚、実際に魚を釣り上げた際に、釣り針や仕掛けに、直列に通しておいたオキアミ２５は、殆ど脱落している事が多く、外殻も含めて柔らかく脱落し易い事が、掛かり時以降の仕掛けの挙動に問題を発生せず、又、再度の投入（手返し）にもなんら問題が発生しない事が分かっている。
【００８７】釣り針の軸３径が大きい場合、或いは、使用するオキアミのサイズが小さい事で、通し刺しがやりにくい場合等は、オキアミ２０はその体構造上、腹部の頭胸甲２０ｅ側寄りの腹節２０ｎが、直径がより大きいので、図９９の様に、頭胸部２０ｆ寄りで切断してから、付ければよい。この際の原則として、頭胸甲２０ｅの次に直径の大きい、尻尾側への次の節（第一腹節２０ｇ）は、少なくとも一部は残して使用する。これは、頭胸部２０ｆ中の脳・内蔵等の流出を防ぐ栓の役目を、第一腹節２０ｇにさせ、且つ、前記の脳や内蔵等よりもしっかりしている身（筋肉）の入っている、第一腹節２０ｇを使用する事が、釣り針に対するオキアミ２５の固定性を良くするからである。
【００８８】別の取付方法としては、図１００の様に、先の尻尾と頭胸部２０ｆ等を取り去って、腹部（腹節２０ｎの集まり）のみにしたものを、オキアミ２７とし、少なくとも２個以上通し刺しにし、最も後から取り付けたオキアミ２７の、最後に通じた部分を、必ず、釣り針の腰曲がり４まで、通し刺し、又は、縫い刺しする様にする。前処理での適切な長さと、途中での持ち替えや、最後のオキアミ２７より上の、釣り糸１０側に仮置きした分は、引き降ろし等を必要とする、取り付け（使用）方法は、オキアミ２５だけの場合と同じである。尚、この取付方法には、最もしっかりしている、オキアミの腹部のみを取りつけるので、脱落やずれに最も強く、深海での釣りや、遠投しての釣りに適しているという特徴がある。又、オキアミ２５を、図９９の様に切って使用する場合の端材も、その長さ・太さが適切であれば、当然使用可能である。この場合も、オキアミ２７の取り付ける向きは、ランダムでかまわない。
【００８９】或いは、この腹部のみのオキアミ２７と、頭胸部付のオキアミ２５の組み合わせで、図１０１の様に、多数個を通し刺しにしても良い。オキアミ２５・２７の向きや順序は、ランダムでもかまわないが、最も後から取り付けたオキアミ２５、或いは、オキアミ２７の、最後に針先７に通じた部分を、釣り針の腰曲がり４まで、必ず通し刺し、又は、縫い刺しする様にする。前処理での適切な長さと、途中での持ち替えや、最後に通じたオキアミ２５・２７より上の、釣り糸１０側に仮置きした分は、引き降ろし等を必要とする取り付け（使用）方法は、図９５・図１００の場合と同様である。このオキアミ２５・２７の、ランダムで且つ直列での使用も、本願発明独自のもので、釣り餌として供給される冷凍のオキアミブロックには、大きな捕獲・冷凍時の固まりから、各種の販売するサイズに、刃物で割断された際に、各切断面近辺に、半端なオキアミ２５・２７と近似したものが、多数出来てしまって、そのまま使用者に供給・販売されているので、その端材の有効利用が可能である。
【００９０】以上の様に、釣り針から釣り糸１０に達するまで、オキアミ２５・２７を複数個通し刺しにして掛けることで、結合部１５や耳２及び釣り糸１０を、餌で覆い隠すことが出来、魚の警戒心を喚起させずに釣りが出来る。比較的短い釣り糸１０を付けた仕掛け（根付けのセット）の場合、その根付け毎、オキアミ２５・２７で覆い隠せば、効果的である。又、取り付けられる体積が大きい事で、潮の流れに、釣り糸１０が張り易くなり、耳２の端部Ｇの、釣り糸１０との接触点Ａを押し返す力ｆが、従来の単数取付よりも大きくなって、掛かり性を補助してくれる。直列に腰曲がり４まで、ほぼ真っ直ぐに取り付けるから、体積が大きい割に、対象魚の口腔の入り口には、従来の並列複数取付より、遥かに入り込み易い。又、魚が摂餌する際の吸引水流により、針先７が、従来よりも口腔の奥に入り込み、口唇切れでのバラシが少なくなるという利点もある。複数個取り付ける（２個以上いくらでも良い）ので、魚の目に付き易く出来、従来の釣り針・仕掛けでは、図２０の様に手間の掛かる、切れ込みを入れたナイロン１６等を挟んだ結合や、撓んで作業しにくい樹脂線材への、オキアミ２５の取り付けをしなければ、対象とならなかった大型魚・深海魚等の釣りにも、十分に使用可能である。
これで、段落（００２７）の課題の▲５▼の、取付・使用方法は解決となる。
【００９１】次に、同じく請求項に共通する、釣り糸１０との結合方法・使用方法、及び、仕掛けについて詳述する。本願発明の釣り針は、誤って、従来の方式（外掛け結び・内掛け結び・漁師結び等）で、軸３に釣り糸１０を全周捲いて結合されたり、同じく、端部の耳２（２ｃ・２ｄ）の穴のみを利用して、絞り結びや首振り結合されれば、本来の性能を殆ど発揮できないので、その釣り針固有の、耳のタイプや結合穴３０の位置・個数、及び軸３の構造に合わせた、適切な結合方法や使用方法を、パッケージに明確に表示する必要がある。
【００９２】釣り糸１０との結合については、半周結合では、通常の一重結びの（従来のサルカン結びと同じく）クリンチノット等で、図３７の釣り針に類似した、図１０２の釣り針の結合図に示す様に、結合穴３０に通した釣り糸１０に、数回交差を入れてから、図の様に取り回し、釣り糸１０本線及び端部を絞ってから、余った端部を切って、耳２ｄに本線を通せば、結合部は図３８同様になる。この場合、従来の内掛け結びや外掛け結びで、軸３に釣り糸１０を多数回捲くよりも、遥かに簡便で、短時間で結合出来る。
【００９３】同じ釣り針に、釣り糸１０を結合する場合でも、別の結び方にすると、各部の断面積の変わる場合がある。図１０３の様に、結合穴３０に釣り糸１０を取り回し、耳２（２ｃ・２ｄ）より上で、本線と末端で結び目１５ｂを８の字結びで作る。軸３の結合穴３０の部分から、耳２より上までは、縦糸２本分の増加で済み、耳２（２ｃ・２ｄ）の上の結び目１５ｂで、約糸６本分の太さとなり、オキアミ２５・２７が、図３８例より遥かに通し易い。結び目１５ｂは、一般的にも、８の字結びの方が強く、余った末端を、図１０４の様に、土佐結び式の編みつけ部１８としても良い。この結合は、主に釣り糸１０が短い、仕掛けにエダスを出す場合等に使いやすい。
【００９４】次に、軸３の結合穴３０部分では、釣り糸１０の曲率が小さく、例えばポリアミド系の釣り糸１０ａを使用した場合は、その弱点である、小さい曲率で捲かれた時の強度低下を補完できない（従来の釣り針の接続でも、同様の問題がある）ので、時間は掛かるが、強度優先の結合方法を示す。楕円穴・連結円穴等、釣り糸１０を２回通せる結合穴３０の場合の、図５１の釣り針に、図１０５の様に、２回釣り糸１０を通し、その片側一重で、片側二重の緩く取り回した環に、直交周回する様に螺旋状に、更に２〜３回捲き、糸の端を、先の重環の釣り糸１０本線（釣り人）側を通してから、両側を絞って、図１０６の結合部１５の様にする。この結び方は、２重で強く、それほど時間も掛からないので、細い釣り糸１０ａ（透明ハリス等）を使う場合にも有利である。更に強度を上げるには、最も応力集中し易く、且つ、魚の口腔と接し易い、結合部１５の直上を強化するのが良く、釣り糸１０の端を長く残しておいて、本線を強く張った上で、土佐結び式に交互に捲きつけ方向を変えて、本線に数回から数十回捲きつけて端を切断し、図１０７の編み付け部１８とする。曲率の小さな結合部１５は、２重になっており、魚の歯に触れ易い釣り針近傍の接続部分は、編みつけで保護出来る。時間は掛かるが、強度は十分にある結合方法で、２重になっていても、図５３・図５４で分かる様に、クリンチノット等の絞り結びと、同程度の断面積で、急激な断面積増加はしないから、本願発明の釣り針を、仕掛けとして、釣り糸１０と接続して販売する場合以外の、釣り針単独で販売する際の、パッケージ内に表示する使用方法としても、十分推奨出来る。本願発明の仕掛け各図で分かるように、結合部１５の側面、或いは、上側に末端Ｃが来て、その突き出し方向も、釣り人（出糸）側、又は、横向きとなっているので、オキアミ２５・２７の取り付けの障害にならない。又、軸３に釣り糸１０を捲きつける従来形の釣り針で、編み付けをした場合は、編みつけ部１８の部分で、釣り糸１０の径が実質３倍になって目立ち、魚の警戒心を喚起するが、本願発明では、オキアミ２５・２７を、耳２を越えさせて、釣り糸１０側まで通し刺しにする事が可能であるから、当然編み付け部１８をもオキアミ２５・２７で隠せるし、編み付け部１８自体の凹凸や、適切な長さの末端Ｃ部であれば、オキアミ２５・２７のずれ・脱落の防止にもなり、メリットが大きい。
【００９５】歯が鋭い又は頑丈で、釣り糸１０ａでは、噛み切られやすい魚用には、図１０８の様に、本願発明の釣り針の結合穴３０に、ワイヤー１０ｃを結んで根付け部１９とし、その端部に設けた環１７に、使用時、或いは、仕掛け製造時に、図１０９の様に、ポリアミド系の透明な釣り糸１０ａを結び付けても良い。結合部１５部分は、その位置が耳２のフトコロ８側部に位置しているので、取りまわしが若干緩い首振り結合部１５ａ風でもかまわない。環１７側も、従来為されている様に、ワイヤー１０ｃを、図の様に、２重に捲いて作製しても良い。
【００９６】図１１０の様に、編み糸１５ｂを使用して、末端を結んで環１７を作り、その末端の糸のほつれた部分と、釣り糸１０本線を、接着剤で纏めてから固化させて、略逆円錐状の樹脂固め部１７ａとし、オキアミの通し性を向上させた根付け１９のものは、ワイヤー１５ｃに比べて、糸が柔軟で魚に違和感を与えず、しかも丈夫なので、特に推奨でき、この仕掛けであらゆる魚用の釣り針に展開出来る。これらは、図１０９と同じく、環１７に釣り糸１０ａを結合して用いれば良い。樹脂固め部１７ａを設けた環１７は、他の釣り糸１０の仕掛けでも、他の耳２（２ａ・２ｂ・２ｃ）の仕掛けでも、製作可能である。
【００９７】従来の釣り針の殆どは、使用する釣り糸１０の径を大きくする方向の、自由度が高かったが、本願発明の弱点である、結合穴３０の穴径ｄによる確実な限界を、強力な編み糸１０ｂや、同じくワイヤー１０ｃ等を利用した仕掛けが、補完してくれる。これらの不透明な、目立つ釣り糸１０（１０ｂ・１０ｃ等）使用の場合、餌の取付は、オキアミ２５・２７を直列に複数個通し刺しにして、根付け部１９の全部をオキアミ２５・２７で覆い隠すようにする。こうすれば、餌釣りでは、まず釣り針を忍ばせた餌を魚に食べさせる事が大前提であるが、眼が良く、警戒心も強く、鋭い歯を備えた魚でも、切られにくい編み糸１５ｂやワイヤー１５ｃで、根付けした仕掛けで釣る事が、何の問題もなく可能になる。
【００９８】次に、本願発明固有の結合方法として、仕掛けを作る初回、又はエダスを追加する等の、比較的短い釣り糸１０全体を取り回せる場合は、図１１１・図１１２の様に、長めのチチワで結合して、耳２付近を、２重の釣り糸１０にする事が出来る。この際の原則としては、図１１１の場合も、チチワを先に、フトコロ８側から、軸３の結合穴３０に通し、次にチチワの末端側を、フトコロ８と反対側から、耳２ｃの穴（耳２ｄの場合でも、同様に可能）に通し、本線をチチワの末端をくぐらせる。この場合は、耳２ｃの穴は、出糸を伸ばす方向に対して、少なくとも釣り糸１０の２本分の幅がないと、絞った際に出糸が折れ曲るので、注意が必要である。軸３側の結合穴３０は、釣り糸１０が２本入れば、方向は問題が無い。図１１２の場合も同様で、腰曲がり４側の結合穴３０を先に通じて、耳２（２ａ・２ｂ）側の結合穴３０から出したチチワの末端側に、本線をくぐらせる。こうすれば釣り糸１０本線を上に絞った際に、出糸２本が、軸３にきれいに沿って伸びる。この場合も、上側の結合穴３０の幅については、図１０７と同じで、腰曲がり４側の結合穴３０については、軸３の伸長方向の長穴や、楕円穴でかまわない。この上記２例共に、図１１３の様に、耳２の端部より軸３側に、釣り糸１０を取り回して、更に結び目１５ｂを作って完成させる。これは、掛かり時以前に、耳２を迂回して、釣り糸１０が両サイドに分かれて、掛かり時に耳２が機能しなくなるのを防止する為には、必須となる。先にチチワにせずに、２重に釣り糸１０を通し、図１１４の様に絞ってから、図１１５の様に、撚りを入れて、その上に８の字の結び目１５ｂを作っても良い。この撚りが、先の釣り糸１０の分離不具合を防止し、クッション性も向上させる。更に、図１１６の様に、編みつけ部１８を作る、環１７を付けて根付け仕掛け１９にする等も良い。
【００９９】トータルの穴数が、２となる耳２（２ａ・２ｂ・２ｃ・２ｄ）の釣り針では、図１１７の様に取り回して、結合部１５を、クリンチノットとは別の、絞り結びにする事も出来る。この様に、最終的にフトコロ８側正面に、縦に結合する出糸のものは、先のチチワによる二重結びも含め、腰曲がり４側の結合穴３０から、出糸を耳２方向に伸ばす方が、絞った時に釣り糸１０に屈曲部が出来にくい。
【０１００】次に、釣り糸１０全体を取り回せない、釣り針のみの交換の場合、フトコロ８と腰曲がり４−先曲がり５で構成する平面に、略平行な結合穴３０と、略直角な結合穴３０を合わせ持つ、図１１８の様な釣り針では、図１１９の様な結合が可能である。この結合も、出糸が二重に出来るので、強度上問題が少なく、その上の結合部は、各種の強度向上対策が可能で、推奨出来る。この場合の耳２側の結合穴３０は、釣り糸１０を上に絞ってから、結び目１５ｂを作れば、出糸の方向に対して、釣り糸１０の２本分幅は必要がないという特徴がある。下の結合穴３０の径は、釣り糸１０の直径の１本分を超えればよく、設ける位置も、腰曲がり４近辺まで下げてもかまわない。結び目１５ｂを作る位置は、端部Ｇよりも下に必要で、それを避けるには、撚りを入れれば良い。
【０１０１】次に、複数の結合穴３０と座繰りＮを利用して、図１２０の様な、簡易結合が可能である。穴サラエの耳２ｃの穴、及び管付の耳２ｄの穴もカウントする前提で、穴の総数が偶数の場合は、最初に釣り糸１０本線を挿し込んだ側（基本的にフトコロ側）と同じ側に、末端が出て、穴の総数が奇数の場合、挿し込んだ側と反対側に末端が来るので、結び目１５ｂを作れる。従って、その位置に座繰りＮを設けるか、軸３の断面積に余裕があれば、図１２１の様に、座ぐりＮの代りに大きな結合穴部面取り３１を付けても良い。図６８例や図８５例の、座ぐりＮを用いる簡易結合では、取り回しの距離が無く、掛かる力が結び目１５ｂ付近に集中する事、及び、釣り糸１０の伸びがクッションとして利用できないので、釣り糸１０の結合後の強度が実質低下してしまうが、図１２０の複数穴結合は、この欠点を補ってくれ、編み糸１０ｂやワイヤー１０ｃ等だけでなくて、ポリアミド系の釣り糸１０ａでも利用しやすくなる。これらの複数の結合穴３０、及び、座Ｎ設置の場合の原則としては、クッション性を重視する場合は、釣り糸１０の、結び後の遊動性を重視して、結合穴３０間のピッチを大きくし、結合穴部面取り３１や結合穴側案内溝３３も大きくする。固定性を重視する場合は、穴ピッチは、摩擦重視で、ピッチ・結合穴部面取り３１・結合穴側案内溝３３共に、必要最小限とする。組み合わせで、図１２２の様に、異なるピッチにすることもメリットを生み出せる。
【０１０２】結合穴３０が、適応する釣り糸１０の２本分を少し越えた断面積となっている場合、及び、それに加えて、結合穴３０の断面積がテーパ状にしてある場合等は、図１２３の様に、チチワにした釣り糸１０を挿し込み、軸３を越えて突き出したチチワの折り返し部に、繊維の束１５ｃ（例えば、ティッシュペーパーの切れ端等）を挟み込み、図１２４の様に釣り糸１０を絞って、結合穴３０のフトコロ８側開口部、或いは、結合穴３０内部で、釣り糸１０と繊維の束１５ｃを噛み込ませて、折り返し部のターン径を膨らませる事で、釣り糸１０の固定が出来る。繊維の束１５ｃは、全体としては柔らかく、釣り糸１０に対するクッション性もよいが、圧縮されてその空隙が埋まれば、固体として作用出来るので、抜けにくい結合が十分可能である。余って突き出した繊維束は、千切り取れば良い。先にチチワにせずに、釣り糸１０の折り返し部を、繊維の束１５ｃで固定し、図１２５の様に、結合穴３０から出た２本の釣り糸１０に、撚りを入れてから、その上に結び目１５ｂを作ると、釣り糸１０自体のクッション性も向上して好ましい。耳２（２ｃ・２ｄ）の穴を出糸通し部として利用した場合、結び目１５ｂは、位置はどこでも良い。紙類や布等の様な細かい繊維では無く、余る突き出しの向きが、結合穴側案内溝３３等を利用して耳２方向に向けられれば、細い釣り糸１０等を挟み込んでも良い。チチワの結び目１５ｂより釣り人側の釣り糸１０は、余した釣り糸１０の末端側で、編みつけ部１８を作れば更に良い。又、ひとつの軸３に、適合する釣り糸１０の号数別に、複数の結合穴３０を開けた、図１２６の様な釣り針も使用し易い。
【０１０３】撞木の耳２（２ａ・２ｂ）についても、図１２７の様に、結合穴３０を斜めに開ける事で、この簡易結合を利用出来る。クッション性を高める、取り回し部の伸長をするには、２箇所の結合穴３０（上側の１箇所は、出糸の位置決め用）を利用して、図１２８の様な結合も可能である。結び目１５ｂを作る位置は、端部Ｇよりも下に必要であり、耳２が長ければ、結び目１５ｂを作る作業も容易である。結び目１５ｂを耳２の端部より下に作る事を避けるには、撚りを入れれば良い。これらの、繊維を噛み込ませる結合は、釣り糸１０が簡単に二重に結べ、結合穴３０と釣り糸１０と繊維の束１５ｃの関係が適切であれば、短時間で結合出来、推奨できる。
【０１０４】以上の、本願発明特有の簡便な結合方式は、基本的に、軸３に対して、釣り糸１０を、縦や斜めに取り回しており、半周結合程度も、軸３に周回して捲いてはいないので、オキアミ２５・２７の通し刺しに、全く問題が無く、オキアミ２５・２７の取付は、図９５・図１００・図１０１の様にすれば良い。これらの、本願発明に適合する、簡便な結合方式は、従来の外掛け結び・内掛け結び等の、釣り糸１０を複数回捲いて、出糸の位置を整えて、奇麗に結合部１５を作る手法が浸透していない、海外向け輸出用としても充分対応可能と考えられる。
これで、段落（００２７）の課題の▲５▼の、結合方法は解決となる。
【０１０５】以上の様に、オキアミ２６・２７を釣り餌として使用する上では、従来の釣り針よりも優れた点も多い本願発明の釣り針は、手や目の不自由な人の為に、予め長短の釣り糸１０を結合した仕掛けとして、製作・販売できるので、これを各請求項の共通とした。
【発明の効果】
一部、後述する実施例にて詳細例を解説する効果も、まとめて本段落に記述してある。
【０１０６】本願発明の請求項１によって、釣り糸１０の結合方式を、結合穴３０を利用する方式に変えた事で、結合部１５での断面積の増加が抑えられ、柔らかく裂け易いオキアミ２５・２７の通し性が著しく向上し、図９５・図１００・図１０１の様に、結合部１５及び耳２（２ａ・２ｂ・２ｃ・２ｄ）を、オキアミ２５・２７の少なくともその一部で、覆い隠す事が可能となった。従って、図１５〜図１９に示した、従来の使用方法・取付方に対して、より魚の警戒心を刺激せず、目立たなさで、実登３０１１４３７・実登３０１８０５２・特許２７１７６１９と同等で、通し性で考えれば、実登２５８８１７７・実登２５８８９９３・実登２５１４２０９と同等で、釣果の向上が可能となった。図２０の取付方の場合、うまく結合部分を作れば、オキアミ２５で全周囲う事で隠せるので、同等の可能性はあると考えられる。
【０１０７】オキアミ２５・２７の、図９５・図１００・図１０１の様な、直列多数個掛けが、正しい取付・使用方法を守れば、簡単に短時間で、誰でも、腰曲がり４から上に取付出来る様になった。従って、図１５・図１６の使用方法・取付方に対しては向上し、図１７〜２０と同じく、潮の流れによって、釣り糸１０の張りが強く出来、掛かり性の向上ができて、釣果の向上が可能となった。
【０１０８】アピール性が複数のオキアミ２５・２７で著しく向上出来、図９５・図１００・図１０１の様な取付・使用方法で、大型魚にオキアミ２５・２７の複数個の通し刺しで対応出来る様になった。従って、図１５〜図１８の、従来の使用方法・取付方に対して、個数で優る事が可能となり、図１９・図２０と同等以上（理論上、個数の上限無し）で、又、実登２５８８１７７・実登２５８８９９３・実登２５１４２０９とも同等で、釣果の向上が可能となった。
【０１０９】直列に、耳２各種の端部Ｇや、釣り糸１０の余りＣ部等を利用して、図９５・図１００・図１０１の様な通し刺し、最後の１個は通し刺し、又は、縫い刺しで、固定出来るので、オキアミ２５・２７の脱落やずれが少なくなった。従って、従来の図１５〜図２０のいずれにも優り、又、実登３００２１１４と同等で、釣果の向上が可能となった。
【０１１０】直列に取り付けているので、複数付けている割には縦横の比率が大きく出来、魚の口腔にスムーズに入り込み易くなった。従って、従来の図１５・図１６の取付・使用方法に対しては同等で、又、実登３０９５８２７・特許３４４８５３８と同等で、図１７〜図２０には優り、釣果の向上が可能となった。
【０１１１】直列に釣り糸１０まで、図９５・図１００・図１０１の様に、オキアミ２５・２７が取り付けてあるので、魚が釣り針を忍ばせたオキアミを摂餌する際に、水流に乗って、口腔のより奥まで、針先７が到達し、掛かり性が向上し、且つ、口切れによるバラシが少なくなった。従って、図１５〜２０よりも優れており、又、特許３５１０３３０・特許３４４８５３８と同等で、釣果の向上が可能となった。
【０１１２】釣り餌として供給されるオキアミ２０の、半端な切断端材等でも、取付が可能な部分は、脱落しにくい通し刺しや、最後の縫い刺しで、十分に利用できるので、資源の有効利用が可能となった。従って、図１５〜２０の、従来の使用方法・取付方に対して、いずれにも優り、実登２５８８１７７・実登２５８８９９３・実登２５１４２０９とは同等で、餌のコストが低減出来る様になった。
【０１１３】釣り糸１０の出し口の安定性が、従来の、釣り糸１０を軸３に全周巻き付ける釣り針よりも向上して、固定やそれに近くなり、使用中に側面に回る事等は、有り得無くなった。従って、実登２５８８９９３・実登２５１４２０９・特許３０５５０８７・実登３０４７７６０・実登２５１９０５６・特許２５３５４３１と同等で、釣果の向上が可能となった。
【０１１４】結合部１５を強化する二重結びでも、従来の釣り針では、到底達成出来ない程の通し性が維持出来た。従って、実登２５８８９９３・実登２５１４２０９よりも向上し、大型魚に対する釣果の向上が達成出来る様になった。
【０１１５】仕掛けの場合に、２重部に撚りを入れてクッション効果を持たせる、２重部の次（釣り人側）に、土佐結び式の編みつけ部１８を作って、釣り糸１０本線を保護するといった各細工が、通し性を阻害せずに、簡単に出来、釣り糸１０各種の強度が、充分に引き出せる様になった。従って、穴サラエの耳２ｃの釣り針と同等で、掛かり性でそれに優り、他の耳２の釣り針各種には全て優り、釣果の向上が可能となった。
【０１１６】編み糸１０ｂ・ワイヤー１０ｃ等による、比較的短い根付け部１９でも、その全体を、耳２を通してきたオキアミ２５・２７で覆いかくせるようになり、歯が鋭い魚や、歯が頑丈で、透明樹脂製モノフィラメント等の釣り糸１０ａ単糸では、擦り切ったり噛み切ってしまう魚を釣る作業上、取り替えを頻繁にしなくて済むようになった。丈夫なポリエチレン系編み等の、新素材の釣り糸が、魚に警戒心を与える等の問題なく使えるので、職漁の作業において、釣り糸１０の傷等にあまり気を遣わずに作業が継続でき、更に、釣り針の喪失も少なく出来、編み糸１５ｂ等の積極的利用をも広げる事が可能になった。従って、図１２の首振り仕掛けや、実登２５８８１７７・実登２５８８９９３・実登２５１４２０９・特許３２６２７７４・実登３０１５０７７・特許２７９４５５６・特許３５１０３３０と同等で、釣果の向上が可能と成った。
【０１１７】結合穴３０の設け方で、サルカン方式・絞り結び・結び目１５ｂ・繊維の束１５ｃの結合・チチワ結び方式等の、高強度対応や簡便方式等、多彩な結びが可能なので、選択の範囲が広がり、釣る対象魚に合わせて変える事も出来る様になった。従って、従来の釣り針の結合方式には、多彩さで完全に優り、選択の範囲が大きく広がり、魚に合わせて選べば、作業性も向上出来るので、釣果の向上が可能となった。
【０１１８】必ず結合穴３０を通じているので、従来形の耳２（２ａ・２ｂ）で発生し易かった、周回糸の伸びによる、すっぽぬけや糸切れ事故が発生しなくなった。従って、図１０〜１２の、耳２（２ｃ・２ｄ）の結合や、特許２８６９７２３・特許３５４０２８４・実登３０６２９５７と同等で、釣果の向上が可能となった。
【０１１９】釣り糸１０を、螺旋状に多数回捲かないので、使用する釣り糸１０の量を減らす結び方（釣り針を取り替える際の、釣り糸１０の使用量を削減する結合方法）が選択できて、釣り糸１０ａの、特に高強度のハリスは高価なので、使用量が削減できて、コストダウンが可能となった。従って、従来の漁師結びと同等で、実登２５８８１７７には劣るが、実用性の高い釣り針と仕掛けが可能となり、生産コストの低減が出来た。
【０１２０】従来の軸３に捲いての結合よりも、短時間で、すっぽ抜けする事が無い、シュアな各種結合が出来るので、主に、潮の流れ具合で決まる魚の釣れる時間、いわゆる時合いは短いから、結合時間の短縮とその確実性は、職漁の作業上非常に大きな効果があり、漁師結びや実登２５８８１７７と同等で、釣果の向上が可能となった。
【０１２１】釣り糸１０を、軸３に全周捲かないで結合出来るので、耳２部にて周長を急激に拡大する必要が無くなり、肉厚の変化を緩やかに出来るので、焼き割れ等が発生しにくく、不良率が下がる事で、コストを低減出来る釣り針が供給できるので、漁業従事者に有利な、安価な製造が可能となった。
【０１２２】合わせ時や締込み時の荷重が、耳２ではなく、軸３の結合穴３０に掛かるので、釣り糸を支える役目だけになった、各種形状の耳２（２ａ・２ｂ・２ｃ・２ｄ）は別作して、接合する事が全く問題なく可能となり、釣り針素材の寸法に左右されない製造が可能となった。従って、形状・寸法・材質を目的に最適化した釣り針が可能となり、この点では、従来とは比べるものはなく、優れた釣り針が可能となった。
【０１２３】重量当たり、又は、個体数当たりの単価が、生餌（エビ・蟹等や、虫餌類等）や、魚やイカ類等の身餌類よりも小さく、且つ、供給も安定している事で、漁業従事者にとって最も使いやすい釣り餌であるオキアミ２０が、取付易く、非常に外れにくく、収率良く、且つ、掛かり性も向上出来て、従来よりも他魚種まで展開出来る使用方法と、それに適した仕掛けが作れるので、従来よりも低コストで、且つ、高効率の釣り漁業が出来る様になった。
以上の様に、請求項１によって、従来よりも総合的に優れた、オキアミ通し刺し専用釣り針、その新しい仕掛け・結合方法・取付使用方法が可能となった。
【０１２４】本願発明の請求項２によって、距離ＡＢがより大きくとれる事で、掛かり時の釣り針のピッチング方向・ローリング方向の姿勢が安定し、針先７がぐらつかない様に出来る事で、より掛かり性の良い、オキアミ通し刺し専用釣り針が可能となった。従って、魚の釣り針の吐出率が低下し、逸走しようとして勝手に探く掛かる、完全な向こう合わせが多くなり、作業負荷が低減したので、釣果の向上が楽になった。
【０１２５】同じ姿勢制御モーメント発生時に、耳２端部Ｇの、釣り糸１０との接触点Ａが、釣り糸１０に与える負荷（反作用−ｆ）が力学上低減できることで、釣り糸１０が合わせ切れしにくく、従って、釣り糸１０や釣り針の損失が低減して、コストダウン出来て、且つ、実釣時間の割合が向上する事で、実登３０１８７０２と同等で、釣果が向上出来る様になった。
【０１２６】同じく、長い耳２（２ａ・２ｂ・２ｃ）に、Ｇ側の大きなＲ曲げや、曲面絞りＱ部で、潰した板状部の厚みに制限を受けない大きな曲面を付ける事が可能となり、強い合わせ時にも、従来に無く釣り糸１０の負荷を下げて、合わせ切れが少なく出来、釣果の向上が可能となった。
以上の様に、請求項２によって、姿勢制御が確実に向上した、従来よりも優れたオキアミ通し刺し専用釣り針、その仕掛け・結合方法・取付使用方法が可能となった。
【０１２７】本願発明の請求項３によって、結合穴３０を加工した軸３部分で、強度低下を起こさないで、且つ、通し性を阻害しない、より強靭な、オキアミ通し刺し専用釣り針、その仕掛け・結合方法・取付使用方法が可能となった。又、径の大きいＤａ部分の耳２側段差を利用する事で、オキアミ２５・２７の固定性を向上させる事が出来る様になった。
【０１２８】本願発明の請求項４によって、軸３の直径に段差を付けなくても、部分的に径をＤａに大きく出来、結合穴３０を加工した部分での強度低下率をより軽減した、安価に供給出来るオキアミ通し刺し専用釣り針、その仕掛け・結合方法・取付使用方法が可能となった。
【０１２９】本願発明の請求項５によって、周知性の高い、クリンチノットでの半周結合時でも、オキアミの通し性を向上出来る様になり、簡単な結合が可能なオキアミ通し刺し専用釣り針、その仕掛け・結合方法・取付使用方法が可能となった。
【０１３０】本願発明の請求項６によって、その釣り糸１０の結合部１５断面積が、より暫増に近くなり、オキアミの通し性を向上させて、より小さなオキアミ２５・２７でも利用出来る、オキアミ通し刺し専用釣り針、その仕掛け・結合方法・取付使用方法が可能となった。
【０１３１】本願発明の請求項７によって、結合穴３０を通じてから、結び目１５ｂを作るだけのより簡易な結合で結べる、実登２５８８１７７と同等の、高速結合が可能なオキアミ通し刺し専用釣り針、その仕掛け・結合方法・取付使用方法が可能となった。
【０１３２】本願発明の請求項８によって、周知性の高いクリンチノットでの半周結合時に、釣り糸１０結合部１５の位置決めが確実に出来、且つ、結合部１５の、軸３からの突き出しを小さくして、オキアミ２５・２７を、より通じ易い、オキアミ通し刺し専用釣り針、その仕掛け・結合方法・取付使用方法が可能となった。
【０１３３】本願発明の請求項９によって、管付の耳２ｄにおいても、オキアミ２５・２７の通し性が良く、且つ、独特の形状で、より距離ＡＢの大きくて掛かり性の良い、オキアミ通し刺し専用釣り針が可能となった。
【０１３４】長い耳２ｄに設ける補強用桟４３を、釣り糸１０の盾として利用する結合が出来るので、釣り糸１０を、擦り切ったり噛み切ってしまう魚を釣るのが、容易になった。従って、耐久性が向上する事で、取り替え回数を減らせ、実登２７９４５５６と同等で、仕掛けのしなやかさでそれに優り、コストダウンと釣果の向上が可能となった。
以上の様に、請求項９によって、姿勢制御が確実に向上した、従来よりも優れたオキアミ通し刺し専用釣り針、その仕掛け・結合方法・取付使用方法が可能となった。
【０１３５】本願発明の請求項１０によって、耳２（２ａ・２ｂ・２ｃ）において、他の形状よりも、オキアミ２５・２７の通し性がより良く、且つ、結合部１５の位置決めに優れた、オキアミ通し刺し専用釣り針、その仕掛け・結合方法・取付使用方法が可能となった。
【０１３６】本願発明の請求項１１によって、耳２（２ａ・２ｂ・２ｃ）において、より太い軸３においても、オキアミ２５・２７の通し性が良く、且つ、魚の歯に釣り糸１０を傷付けられにくい、剛強なオキアミ通し刺し専用釣り針、その仕掛け・結合方法・取付使用方法が可能となった。
【０１３７】本願発明の請求項１２によって、耳２（２ｃ・２ｄ）において、より太い軸３においても、オキアミ２５・２７の通し性が良く、且つ、魚の歯に釣り糸１０を傷付けられにくい、剛強なオキアミ通し刺し専用釣り針、その仕掛け・結合方法・取付使用方法が可能となった。
【０１３８】本願発明の請求項共通によって、本願釣り針の新しい結合方法・使用方法が開示でき、釣り糸１０と結合した仕掛けについては、釣り糸１０結合の困難な手の不自由な人や、目の悪くて結合穴３０に釣り糸１０が通せない人でも、本願発明の特徴をもった各種の仕掛けが利用可能となり、オキアミ２５・２７の新しい使用方法が開拓できた。
【発明を実施するための最良の形態】
【０１３９】焼きなまして、一旦硬度を低下させ、展延性を増加させた軸３の端部を、プレス機で平たく潰して耳２（２ａ・２ｂ・２ｃ）を成形し、又は、端部を曲げて耳２ｄを形成して、フトコロ８の方向を確定し、以後これを向きの正とする。管付の耳２ｄの場合、耳２付近の軸３に、釣り糸１０を縦に結ぶ結合穴３０を設ける場合は、耳２ｄの付け根付近は、２本の線材の開き角度をある程度大きくするか、図１２９のように、合わせ目（Ｆ部）付近を、部分的に除去加工して、釣り糸１０が線材間で強く挟まれて、強度低下を起こさない様に工夫する。次に、必要に応じて、結合穴部面取り３１の前成形をプレスで施す。次に、放電加工・レーザー加工等の非接触加工、又は、ドリル等による機械的加工で、穴サラエの耳２ｃの穴や、結合穴３０を加工し、その内面は、ワイヤー（砥粒は固定・遊離共可）加工・ホーニング加工（同左）・液体ホーニング加工等の適宜手段で、滑らかに仕上げる。機械的加工等では、刃物が逃げて加工しにくい、図１２７・図１２８等の、斜めの結合穴３０でも、細穴放電加工機やレーザー加工機等では、問題なく加工出来る。結合穴３０の角部等の、機械的加工で、面取り３１や滑らかな仕上げが出来にくい部分は、リューター等の手持ち回転工具による面取りや、砥粒によるプラスト（乾式・湿式含む）加工等の、適宜手段で手加工すれば良い。針先側先端より適切な距離に、鏨状の刃物を斜めに打ち込んでから起こし、アゴ６（モドシ・カエシ・バーブ）の原形を作る。アゴ６や針先７を、研磨して尖らせた後、全体を魚種・サイズに合わせて、釣り針１の形に曲げ、焼き入れ・焼戻しして、硬度と靭性を持たせる。軸３の径の段差が大きい、又は径の段差の、隅部の形状が不適切である、又は、軸３と耳２部の厚み差が大きすぎると、焼き入れ時の冷却速度の差で、クラックを生じやすいので、形状及び冷却条件に注意する。必要なら、高周波加熱で要部のみ焼き入れ・焼戻しとすれば良い。針先７、及びアゴ６を仕上げ研磨して、耳２部等の、釣り糸１０を結ぶ部分付近の、鋭角部は面取りする。バレル研磨等の方法で、表面を仕上げても良い。この後に、鍍金や焼き上げ等によって、防錆処理を行う場合もある。工程の順序は、製作する釣り針の形状・材質や線径で異なり、結合穴３０の形状と数、適合する釣り糸１０の材質や結合方法に合わせて、最適に決める必要がある。結合穴３０開けの中心位置については、必ずしも軸３の中心である事は必要でなく、掛かる応力・工程での不具合等を考慮して、中心からずらしてもかまわない。【０１４０】釣り糸１０を結合する、結合穴３０を加工する事で、焼き入れ等の工程で不具合を生じる場合、後で時効硬化処理の効く材料、例えば、ＳＵＳ６３０系等を用いても良い。この場合、穴の周囲にクラック等の生じ易い、焼き入れ工程は無く、雰囲気炉・真空炉等に入れて適温まで上げ、析出硬化をさせて硬度を上げれば良い。この場合は特に、応力や要求硬度の高い、軸３の腰曲がり４近辺から針先７迄と、抵応力の、軸３の耳２側から耳２にかけては、別材で製作して、例えば、軸３の途中（耳２側寄り）で溶接・ロー付けしてから、熱処理（時効硬化）する事が可能である。【０１４１】同様に、耳２形状の自由度・強度（厚み）確保や、焼き入れ不具合の発生防止といった点からも、特に請求項１０・１１の場合の、耳２（２ａ・２ｂ・２ｃ）は、別材で製作して、軸３で接合した方が、コスト上有利な場合が考えられる。この場合は、請求項１にある様に、ロー付け・溶接、或いは、その組合わせ等で製作可能である。これらの、接合しての製作上の要点は、その接合面積が大きいほど、強度が確保されることであり、その接合の内、溶接性については、従来用いられている高炭素鋼は良くないので、避ける事である。接合して組み立てた例を、図１３０〜１３３の正面図・断面図に示す。符号４７は、溶接・ロー付け等の接合部を示す。図１３４・図１３５の様に、軸３端を、フトコロ８側に引き起こした部分に、結合穴３０を設け、接合した耳２を付けると、接合で作れる特性を活かして、様々な耳２の形状を採用する事が出来る。この接合した耳２の足（接合部分）が、軸３側に伸長している事で、結合穴３０の位置（所在）が、請求項上で、耳２と腰曲がり４間の軸３にあると定義できにくいものは、耳２とフトコロ８間の軸３にあると定義した。【０１４２】本願発明請求項２の、耳２の長さを長くする場合、耳２（２ａ・２ｂ・２ｃ）の場合は、プレス機で潰す長さを大きくすれば良い。基本的に、一定のモーメントの元では、軸３からの距離が大きくなる程、釣り糸１０から、耳２が受ける力ｆは小さくなり、従って、端部Ｇに近いほど薄くして、受け面を広く取る事が可能となる。この際、当然、反作用−ｆも小さくなり、合わせ切れがしにくくなる。一方、同じ力ｆの元では、耳２が長く成る程、耳２の付け根に掛かる力は大きくなり、付け根に発生する応力は大きくなる。そこで、軸３に全周釣り糸を捲く場合には、ある程度急激に周長を大きくする必要があって、撞木形２ａ、或いは丸耳２ｂとしていたが、本願発明では、耳２部で、周長を急に大きくする必要が無いので、図１３６の様な三角形、又、図１３７の様な、扇形に成形する事も可能である。図１３７の釣り針側面の、図１３８の様に、従来品よりも、付け根を厚くする事で、強い力で合わせを必要とする釣り針での、耳２の破損を防止する事が出来る。この耳は、断面積は従来と変わらないが、幅が急激に増加しないので、ますますオキアミの通し性が向上し、プレスでの製作も簡単であって、冷却速度の差が大きくない事で、製作時に、焼き割れもし難いメリットがある。軸３の、耳２近辺に結合穴３０を開けて、釣り糸１０を縦に取り回して結合する、耳２ｃの場合（図１の例等）、耳の穴開け位置で、実効距離ＡＢが変わるので、出来るだけ軸３に寄せて開ける。耳２ｄの場合は、耳相当の線材の、曲げる長さを大きくすれば良い。又、釣り糸１０に掛かる力−ｆ（ｆの反作用）を、集中させない様にする為には、端部Ｇのフトコロ８側の面取り（曲面取りを含む）を、出来るだけ大きくすれば良いが、耳２（２ａ・２ｂ・２ｃ）を長くして、厚さが小さくなり過ぎたものについては、フトコロ８側のみの片側面取りとしても、曲率を大きく出来ない事になる。そこで、図１３９の様に、端部Ｇ側を、大きな半径値Ｒで曲げても良いし、図１４０の様に、縁（主に、端部Ｇ側）を、部分的に絞り加工で曲面に変形させて、面取りの代りのＱ部としても良く、厚みに左右されない曲率が採用出来る。これらの変形（加工）は、硬度を上げる熱処理工程よりも前に行う。この手法によって、耳２自体の厚みが薄くなっても、曲率を大きく取り、且つ、剛性も維持できる。これらの構造を取るものについては、吊り下げ時に釣り糸１０に与える危害が小さく出来るので、耳２の角度Ｔを小さくして、掛かり始めの早い時点で、接触点Ａが発生するようにも出来る。【０１４３】本願発明請求項３の、部分的に軸３径の大きな部分や、請求項９の、耳２ｄの環を構成する末端側に、線径の小さな部分が必要な場合、適切な長さに切断した断面が丸い高炭素鋼線・特殊鋼線等の線材を、釣り針の加工工程の前に、インフィード式のセンターレス研削盤で、図１４１の様に、径違いの一連の線材に形状加工する。この図の、括弧付の符号は、予定形状部位を示している。研削加工で周方向に発生する傷は、必要なら、ロール転造やバレル研磨で、取り去れば良い。【０１４４】本願発明請求項４の、軸３に、凹球面加工・凹円筒面加工等の塑性変形加工を施して、部分的に径の大きな部分Ｄａとするには、適切な凸形状の先端の金型プレスで、軸３を押圧変形させれば良い。【０１４５】本願発明請求項５の、結合穴３０と対にした結合穴部面取り３１の大きさを変える場合、押圧変形加工では、面取り金型の偏心で行う。リューター等による手加工での、結合穴部面取り３１は、刃物を当てる回数や、押える力の加減で可能である。軸３を、耳２を上にして垂直に立てて、結合穴３０正面から見た場合に、図１４２の様に、Ｘ＋Ｙ＋とＸ−Ｙ＋の象限の、結合穴部面取り３１を、少なくとも部分的に、他の象限よりも大きくする。【０１４６】本願発明請求項６の、結合穴３０と対にした結合穴側案内溝３３の場合、段落（０１４５）と同様の要領で、部分的に深く取れば良い。【０１４７】本願発明請求項７の、座ぐりＮについては、放電加工・ドリルやエンドミル等による機械加工等の、適宜手段によれば良い。【０１４８】本願発明請求項８の、座Ｍについても、押圧変形加工・放電加工・ドリルやエンドミル等による機械加工等の、適宜手段によれば良い。【０１４９】本願発明請求項９の、独特の耳２ｄの形状は、予め、線材をセンターレス研削加工等で細くし、曲げ込む形を工夫し、幅は押圧変形等で絞って小さくすれば良い。略三角形・略扇形等の場合、図９１の様に、中央部がフトコロ８と反対側に凸となるようにすると、釣り糸１０の落ち着きが良い。又、略楕円形・連結円径の場合は、図９２の様に、Ｔの追加曲げをしてＴａとすれば、同じく、釣り糸１０の落ち着きが良い。ＴａはＴより大きい角度とする。図１４３の様に、伸長して（軸３と同等に長く伸ばす事も、十分可能）、距離ＡＢを大きくする事が可能となる。同様に、耳２ｄが、略楕円形・略連結円形の場合に、釣り糸１０の落ち着きを良くする、角度ＴとＴａの追加曲げ方式でも、図１４４の様に伸長して距離ＡＢを大きくし、掛かり時の姿勢制御モーメントの増大を達成出来る。この耳２ｄを更に伸長して、Ｔａ部を設けるものは、オキアミ２５・２７の通し刺しと、釣り糸１０の伸長を妨げない範囲で、図１４５・図１４６の様に、梯子状の補強用桟４３を接合すれば、釣り糸１０のガード機能と、耳２ｄの剛性強化を、同時に達成出来る。それぞれの、釣り糸１０を根付け仕掛けにした結合図１４７・図１４８に示す様に、桟４７や２本の線材が、釣り糸１０をガードするので、歯の鋭い、又は、噛み切り上手な対象魚用として有用である。これらのいずれの場合も、耳２ｄの線材長さが大きくなる場合、耳２ｄの付け根Ｆ部は、単なる曲げによる軸３との近接、又は、接触では無くて、図１４９の様に、ルアー用のフックで採用される、軸３との接触部での半田付け・ロー付け・溶接（点付け含む）等を行って、接合部４７を作った方が強度上好ましい。樹脂での隙間埋めは、耐久性と特許３２３４５５９上実施しない。【０１５０】本願発明請求項１０・１１の、耳２（２ａ・２ｂ・２ｃ）を、フトコロ８と反対側に近接させて、押圧変形させる場合、フトコロ８側を移動（押し込み）金型としてプレスしても良い。耳側案内溝３５は、リュ−タ−等の回転工具による手加工で良い。結合部１５の確実な位置決めの為に、図１５０の様な、耳側案内溝３５の２箇所を通絡した、耳側通絡案内溝３７を設けても良い。この耳側通絡案内溝３７は、平面研削盤等によるまとめ加工等、適宜手段で加工すれば良い。又、耳２（２ａ・２ｂ・２ｃ）のプレス後に、図１５１の様に、Ｅ部のフトコロ８側が、軸３の伸長方向に突き出す様に、フトコロ８側から再度プレスすれば、結合時の釣り糸１０の納まりが良くなる。この工法で、耳側通絡案内溝３７を形成させる事も出来る。又、図１３１の、耳２を別作しての接合品の製作時も、耳側通絡案内溝３７付けは、フトコロ８側からのプレス加工でも可能である。【０１５１】本願発明請求項１１・１２の、結合穴３０の開口部と対にした、釣り糸収納溝３９は、放電加工やリュ−タ−等による切削加工等の、適宜手段で加工すれば良い。【０１５２】以上の場合には、穴・溝・座等の、釣り糸１０の接触する角部のエッジ・バリ等は除去し、その表面は、滑らかに仕上げる（鍍金仕上げ等を含む）必要がある。（常識の為、特に図示・限定はしない。）【０１５３】本願発明請求項に共通の仕掛けについては、釣り糸１０に、本願発明の釣り針を、１本つけただけのものでも良いし、片テン仕掛け・胴付き仕掛け等の様に、釣り糸にエダスを付けて、複数の釣り針にしたものでも良い。
【産業上の利用可能性】
【０１５４】本願発明を、従来の釣り針に適用（改造）する場合は、精密加工・金型加工産業分野で、精密穴あけ加工が可能な技術があれば製造出来る。従来の釣り針よりも、沢山のメリットがある本願発明は、その簡便な結合方法と対とすれば、広く海外へ展開する事が可能となり、相手国で類似の考察に基づく改良がなされていなければ、国内の当業者にアドバンテージを与える事が可能である。
【図面の簡単な説明】
【０１５５】
【図１】本願発明の釣り針の１実施例の斜視図
【図２】フトコロ８がひとつの、釣り針１の各部名称を示す模式図
【図３】撞木（シュモク）の耳２ａの正面模式図
【図４】シュモクの内の、丸耳２ｂの正面模式図
【図５】穴サラエの耳２ｃの正面模式図
【図６】管付（尻曲がり）の耳２ｄの正面模式図
【図７】ギザ耳２ｅの斜視模式図
【図８】外掛け結びの、結合部１５・釣り針１・軸３の接続構造を示す結合部断面図
【図９】耳２（２ａ・２ｂ）のフトコロ８側平面の、軸３に対する角度Ｔを示す斜視図
【図１０】管付の耳２ｄに、クリンチノットで結合した１例を解説する模式図
【図１１】管付の耳２ｄの、結合の１例を解説する模式図
【図１２】穴サラエの耳２ｃに、ワイヤー１０ｃで、首振り結合部１５ａでの模式図
【図１３】オキアミ２０（全体）の模式図
【図１４】尻尾付近の腹節２０ｎで切断した、オキアミ２５の模式図
【図１５】オキアミ２５の従来の取り付け方の模式図（腹掛け）
【図１６】オキアミ２５の従来の取り付け方の模式図（背掛け）
【図１７】オキアミ２５の従来の取り付け方の模式図（抱き合わせ）
【図１８】オキアミ２５の従来の取り付け方の模式図（背合わせ）
【図１９】オキアミ２５の従来の取り付け方の模式図（房掛け）
【図２０】オキアミ２５の従来の取り付け方の模式図
【図２１】従来の、釣り糸１０の出し口がフトコロ８側の、釣り針１仕掛けの模式図
【図２２】従来の釣り針１仕掛けと魚の口腔４０・４１の模式図（吸込み中）
【図２３】従来の釣り針１仕掛けと魚の口腔４０・４１の模式図（掛かり時）
【図２４】従来の釣り針１仕掛けと魚の口腔４０・４１の拡大模式図（掛かり時）
【図２５】釣り糸１０の出し口Ｂが、フトコロ８と反対側の、掛かり時の模式図
【図２６】釣り針１の形状・状態を示す模式図
【図２７】釣り針１の状態を示す模式図
【図２８】釣り針１の状態を示す模式図
【図２９】釣り針１の形状・状態を示す模式図
【図３０】釣り針１の状態を示す模式図
【図３１】釣り針１が、魚の口腔内で寝ている状態の模式図
【図３２】管付の耳２ｄの、結合部１５のＡ点・Ｂ点を示す拡大模式図
【図３３】従来の耳２ａ・２ｂの釣り針に、外掛け結びをした場合の、拡大断面図
【図３４】軸３に、捲いて結んだ場合の、断面積比較の表とモデル
【図３５】外掛け結びをした場合の、拡大断面図（従来の耳２ｄ）
【図３６】軸３に、捲いて結んだ場合の、断面積比較の表とモデル（従来の耳２ｄ）
【図３７】本願発明の１実施例の斜視図
【図３８】図３７の半周結合の模式図
【図３９】図３８の各部断面積の数値、及び軸３との断面積比較の表とモデル
【図４０】図３６と図３９の断面積比の比較グラフ
【図４１】本願発明の釣り針の１実施例の斜視図
【図４２】図４１の結合模式図
【図４３】図４２の各部断面積の数値、及び軸３との断面積比較の表とモデル
【図４４】図３４と図４３の断面積比の比較グラフ
【図４５】本願発明の１実施例の結合模式図
【図４６】図４５の各部断面積の数値、及び軸３との断面積比較の表とモデル
【図４７】図３４と図４６の断面積比の比較グラフ
【図４８】本願発明の図３７釣り針への新結合図（途中）
【図４９】図３７の新結合模式図
【図５０】図３６と図４９の断面積比の比較グラフと断面積比較の表
【図５１】本願発明の釣り針の１実施例の斜視図
【図５２】図５１の結合模式図
【図５３】図５２の各部断面積の数値、及び軸３との断面積比較の表とモデル
【図５４】図３４と図５３の断面積比の比較グラフ
【図５５】図１釣り針の結合模式図（途中）
【図５６】図１釣り針の結合模式図
【図５７】図５６の各部断面積の数値、及び軸３との断面積比較の表とモデル
【図５８】図３４と図５７の断面積比の比較グラフ
【図５９】本願発明の釣り針の１実施例の斜視図
【図６０】図５９の結合模式図（途中）
【図６１】本願発明の、耳２（２ａ・２ｂ）の釣り針の１実施例の斜視側面図
【図６２】本願発明の、耳２ｃの釣り針の１実施例の斜視図
【図６３】本願発明の、耳２ｄの釣り針の１実施例の斜視図
【図６４】図６２の本願発明の結合図
【図６５】図６４の断面積比較の表と、断面積比の比較グラフ
【図６６】本願発明の、耳２ｄの釣り針の１実施例の斜視図
【図６７】図６６の本願発明の簡易結合図（途中）
【図６８】図６６の本願発明の簡易結合図
【図６９】従来方式の軸３と釣り糸１０の捲回方式模式図（拡大）
【図７０】本願発明の軸３と結合穴３０の比に対する、軸３の残存断面積比の表
【図７１】軸３に、側面から凹球面加工をして、径をＤａに拡大した釣り針の斜視図
【図７２】軸３に、側面から凹円筒面加工をして、径をＤａに拡大した釣り針の斜視図
【図７３】結合穴３０周囲に、部分的に大きな結合穴側面取り３１をした場合の模式図
【図７４】図７３に、釣り糸１０を結合した模式図
【図７５】結合穴３０周囲に、結合穴側案内溝３３を設けた場合の模式図
【図７６】図７５に、釣り糸１０を結合した模式図
【図７７】軸３の結合部１５を設置する位置に、縦の座Ｍを設けた場合の斜視図
【図７８】軸３の結合部１５を設置する位置に、横の座Ｍを設けた場合の側面斜視図
【図７９】図７８の、ＸＸ、ＹＹ断面を示す模式図
【図８０】結合部１５を作る概略位置を示す領域図
【図８１】本願発明の耳２ｄ結合の１実施例を示す斜視図
【図８２】耳２に、最も近い結合穴３０の、概略位置を示す領域図
【図８３】耳２付近に、結合穴３０が比較的近接した位置でのＸＸ断面図
【図８４】耳２に、結合穴３０が近接しすぎた場合の、ＸＸ断面図
【図８５】座Ｎを設けた、本願発明の１実施例を示す断面図
【図８６】耳２ｄの、本願発明の１実施例の正面斜視図
【図８７】耳２ｄの、本願発明の１実施例の正面斜視図（ひねり入り釣り針）
【図８８】耳２ｄの、本願発明の１実施例の正面斜視図
【図８９】耳２ｄの、本願発明の１実施例の正面斜視図
【図９０】耳２ｄの、本願発明の１実施例の正面斜視図
【図９１】図８６・図８７の、本願発明のＧ部曲げ加工実施例の上面図
【図９２】図８８・図８９の、本願発明の耳部追加曲げＴａ加工実施例の側面図
【図９３】本願発明の耳２（２ａ・２ｂ・２ｄ）の、長さＬの定義を示す模式図
【図９４】本願発明の耳２ｃの、長さＬの定義を示す模式図
【図９５】本願発明の仕掛けに、オキアミ２５を直列取付した１実施例の模式図
【図９６】取り付けの作業詳細図
【図９７】取り付けの作業詳細図
【図９８】取り付けの作業詳細図
【図９９】オキアミ２５の、前処理例の模式図
【図１００】本願発明の仕掛けに、オキアミ２７を直列取付した１実施例の模式図
【図１０１】本願発明の仕掛けに、オキアミ２５・２７を同取付した１実施例の模式図
【図１０２】クリンチノットによる半周結合の模式図（途中）
【図１０３】本願発明の新結合の模式図
【図１０４】図１０３に、編みつけを追加した模式図
【図１０５】本願発明の新結合の、取り回しの模式図（途中）
【図１０６】本願発明の結合図（完成）
【図１０７】図１０６に、編みつけ１８を追加した模式図
【図１０８】本願発明の根付け仕掛け１９の、１実施例の模式図
【図１０９】図１０８に、釣り糸１０ａを結合した模式図
【図１１０】本願発明の根付け仕掛けの、１実施例の模式図
【図１１１】本願発明の釣り針に、チチワ方式で結合する１実施例の模式図（途中）
【図１１２】本願発明の釣り針に、チチワ方式で結合する１実施例の模式図（途中）
【図１１３】本願発明の結合の模式図（完成）
【図１１４】本願発明の新結合の模式図（途中）
【図１１５】本願発明の新結合の、１実施例の模式図（完成）
【図１１６】図１１５に、根付け仕掛け１９とした模式図
【図１１７】本願発明の絞り結びの模式図（途中）
【図１１８】本願発明の、複合結合穴３０の実施例の模式図
【図１１９】図１１８の結合図
【図１２０】本願発明の釣り針の座ぐりＮ方式簡易結合図
【図１２１】本願発明の釣り針の１実施例の断面図
【図１２２】本願発明の釣り針の１実施例の模式図
【図１２３】本願発明の釣り針と、チチワ＋繊維結合の模式図（途中）
【図１２４】図１２３の繊維１５ｃ結合の１実施例の断面図（完成）
【図１２５】図１２３の釣り針の別結合の１実施例の断面図
【図１２６】本願発明の複数繊維結合穴３０の釣り針の断面図
【図１２７】本願発明の繊維結合用釣り針の１実施例の断面図
【図１２８】本願発明の釣り針の繊維結合１実施例の断面結合図
【図１２９】耳２ｄの本願発明の合わせ目の逃げ加工例の正面斜視図
【図１３０】耳２を接合した本願発明の１実施例の正面図
【図１３１】耳２を接合した本願発明の１実施例の側面（断面）図
【図１３２】耳２を接合した本願発明の１実施例の正面図
【図１３３】耳２を接合した本願発明の１実施例の側面（断面）図
【図１３４】接合した耳２（２ａ・２ｂ）の本願発明の１実施例の側面斜視図
【図１３５】接合した耳２（２ａ・２ｂ）の本願発明の１実施例の側面斜視図
【図１３６】耳２ｃの付け根強化品の１実施例の斜視図
【図１３７】耳２（２ａ・２ｂ）の付け根強化品の１実施例の斜視図
【図１３８】図１３７の側面図
【図１３９】耳２の、端部Ｇ側を曲げてＲを付けた本願釣り針の１実施例の断面図
【図１４０】耳２の、端部Ｇ側の縁を曲げてＱ部とした本願釣り針の１実施例の斜視図
【図１４１】釣り針素材の、前加工の模式図
【図１４２】結合穴側面取り３１の、象限を示す模式図
【図１４３】本願発明の釣り針の１実施例の斜視図
【図１４４】本願発明の釣り針の１実施例の斜視図（一部断面図）
【図１４５】耳２ｄに、補強用桟４３を取付した本願発明の釣り針の１実施例の模式図
【図１４６】耳２ｄに、補強用桟４３を取付した本願発明の釣り針の１実施例の模式図
【図１４７】図１４５の結合模式図
【図１４８】図１４６の結合模式図
【図１４９】Ｆ部の線材の、合わせ目に接合部４７を設けた１実施例の正面図
【図１５０】Ｅ部に、耳側通絡案内溝３７を設けた耳２（２ａ・２ｂ）の斜視図
【図１５１】Ｅ部のフトコロ側を、変形させた耳２（２ａ・２ｂ）の釣り針の側面図
【符号の説明】
【０１５６】    １：釣り針（全体）                ２：耳（タタキ・チモト・アイ等）
２ａ：撞木の耳                    ２ｂ：丸耳
２ｃ：穴サラエの耳                ２ｄ：管付（尻曲がり）の耳
２ｅ：ギザ耳
３：軸                            ４：腰曲がり
５：先曲がり                      ６：アゴ（モドシ・カエシ・バーブ）
７：針先                          ８：フトコロ
１０：釣り糸（全般）            １０ａ：釣り糸（樹脂ハリス・モノフィラメント）
１０ｂ：釣り糸（編み糸）          １０ｃ：釣り糸（ワイヤー）
１５：結合部                    １５ａ：首振り結合部
１５ｂ：釣り糸１０に作った結び目  １５ｃ：繊維の束（結合用）
１６：従来結合部に共縛りした切込み入りナイロン
１７：根付け仕掛けの末端の環    １７ａ：１７の樹脂固め部
１８：編みつけ部（土佐結び式）
１９：釣り糸１０による根付け部（全体）
２０：オキアミ（全体）          ２０ａ：眼
２０ｂ：前頭部                    ２０ｃ：頸溝
２０ｄ：鰓                        ２０ｅ：頭胸甲
２０ｆ：頭胸部                    ２０ｇ：第一腹節
２０ｈ：尾節                      ２０ｉ：副棘
２０ｊ：尾肢                      ２０ｋ：肛門前棘（第六腹節）
２０ｍ：胸脚                      ２０ｎ：腹節
２５：前処理した頭胸部付オキアミ
２７：前処理したオキアミ腹部（腹節２０ｎの集まり）
３０：結合穴（断面が円・楕円・接線での連結円・略角穴等、及びテーパー穴等含む）
３１：結合穴部面取り              ３３：結合穴側案内溝
３５：耳側案内溝                  ３７：耳側通絡案内溝
３９：釣り糸収納溝
４０：魚の口腔（上顎）            ４１：魚の口腔（下顎）
４３：耳２ｄの補強用桟            ４７：接合部（溶接・ロー付け・半田付け等）
Ａ：耳２のＧ部と釣り糸１０の接触点（フトコロ８側Ｇ部と釣り糸１０との接触点）
Ｂ：釣り糸１０の釣り針への結合点（出糸位置、結合位置で異なる）
Ｃ：釣り糸１０の末端
Ｃｗ：釣り糸１０の末端を締める糸の輪
Ｄ：軸３直径
Ｄａ：軸３の部分拡大部径
Ｅ：潰した耳２（２ａ・２ｂ・２ｃ）と軸３の境界部
Ｆ：耳２（２ｄ）と軸３の境界部
Ｇ：耳２（２ａ・２ｂ・２ｃ・２ｄ）の末端
Ｈ：結合穴３０部と耳２の末端Ｇとの距離
Ｉ：釣り糸１０と軸３間の隙間（隅部）
Ｊ：軸３径Ｄより幅が３０％増加した軸３側耳２（２ａ・２ｂ・２ｄ）部位置
Ｋ：耳２（２ｃ）の穴の軸３側位置
Ｌ：Ｊ、又はＫより、耳２（２ａ・２ｂ・２ｄ・２ｃ）の末端Ｇまでの長さ
Ｍ：軸３に設けた結合部１５用の座（窪み）
Ｎ：釣り糸１０の結び目１５ｂを納める略円筒状の座（窪み）
Ｑ：長い耳２（２ａ・２ｂ・２ｃ）のＧ側の縁の絞り曲面部
Ｒ：長い耳２（２ａ・２ｂ・２ｃ）のＧ側部分的曲げの半径値
Ｓ：釣り糸１０の張る力（合わせ時も含む、総合）
Ｔ：耳２のフトコロ８側の面の、直近の軸３との交差角度
Ｔａ：耳２ｄのＧ側追加曲げ部の、耳２直近の軸３との交差角度
Ｖ：位置記号
Ｗ：位置記号
Ｘ：位置記号、向き記号
Ｙ：位置記号、向き記号
Ｚ：位置記号
ｄ：結合穴３０の内径
ｆ：釣り糸１０が、そのテンションＳを元に、耳２Ｇ側との接触点Ａを押し返す力
ｍ：座Ｍの軸３側窪み量（その位置に対する、軸３の稜部からの最大値）
ｎ：座ぐりＮの深さ（その位置に対する、軸３の稜部からの最大値）
ｐ：針先７が、魚の口腔４０に突入する角度
【図１】
2006094843.tif 000003
【図２】
2006094843.tif 000004
【図３】
2006094843.tif 000005
【図４】
2006094843.tif 000006
【図５】
2006094843.tif 000007
【図６】
2006094843.tif 000008
【図７】
2006094843.tif 000009
【図８】
2006094843.tif 000010
【図９】
2006094843.tif 000011
【図１０】
2006094843.tif 000012
【図１１】
2006094843.tif 000013
【図１２】
2006094843.tif 000014
【図１３】
2006094843.tif 000015
【図１４】
2006094843.tif 000016
【図１５】
2006094843.tif 000017
【図１６】
2006094843.tif 000018
【図１７】
2006094843.tif 000019
【図１８】
2006094843.tif 000020
【図１９】
2006094843.tif 000021
【図２０】
2006094843.tif 000022
【図２１】
2006094843.tif 000023
【図２２】
2006094843.tif 000024
【図２３】
2006094843.tif 000025
【図２４】
2006094843.tif 000026
【図２５】
2006094843.tif 000027
【図２６】
2006094843.tif 000028
【図２７】
2006094843.tif 000029
【図２８】
2006094843.tif 000030
【図２９】
2006094843.tif 000031
【図３０】
2006094843.tif 000032
【図３１】
2006094843.tif 000033
【図３２】
2006094843.tif 000034
【図３３】
2006094843.tif 000035
【図３４】
2006094843.tif 000036
【図３５】
2006094843.tif 000037
【図３６】
2006094843.tif 000038
【図３７】
2006094843.tif 000039
【図３８】
2006094843.tif 000040
【図３９】
2006094843.tif 000041
【図４０】
2006094843.tif 000042
【図４１】
2006094843.tif 000043
【図４２】
2006094843.tif 000044
【図４３】
2006094843.tif 000045
【図４４】
2006094843.tif 000046
【図４５】
2006094843.tif 000047
【図４６】
2006094843.tif 000048
【図４７】
2006094843.tif 000049
【図４８】
2006094843.tif 000050
【図４９】
2006094843.tif 000051
【図５０】
2006094843.tif 000052
【図５１】
2006094843.tif 000053
【図５２】
2006094843.tif 000054
【図５３】
2006094843.tif 000055
【図５４】
2006094843.tif 000056
【図５５】
2006094843.tif 000057
【図５６】
2006094843.tif 000058
【図５７】
2006094843.tif 000059
【図５８】
2006094843.tif 000060
【図５９】
2006094843.tif 000061
【図６０】
2006094843.tif 000062
【図６１】
2006094843.tif 000063
【図６２】
2006094843.tif 000064
【図６３】
2006094843.tif 000065
【図６４】
2006094843.tif 000066
【図６５】
2006094843.tif 000067
【図６６】
2006094843.tif 000068
【図６７】
2006094843.tif 000069
【図６８】
2006094843.tif 000070
【図６９】
2006094843.tif 000071
【図７０】
2006094843.tif 000072
【図７１】
2006094843.tif 000073
【図７２】
2006094843.tif 000074
【図７３】
2006094843.tif 000075
【図７４】
2006094843.tif 000076
【図７５】
2006094843.tif 000077
【図７６】
2006094843.tif 000078
【図７７】
2006094843.tif 000079
【図７８】
2006094843.tif 000080
【図７９】
2006094843.tif 000081
【図８０】
2006094843.tif 000082
【図８１】
2006094843.tif 000083
【図８２】
2006094843.tif 000084
【図８３】
2006094843.tif 000085
【図８４】
2006094843.tif 000086
【図８５】
2006094843.tif 000087
【図８６】
2006094843.tif 000088
【図８７】
2006094843.tif 000089
【図８８】
2006094843.tif 000090
【図８９】
2006094843.tif 000091
【図９０】
2006094843.tif 000092
【図９１】
2006094843.tif 000093
【図９２】
2006094843.tif 000094
【図９３】
2006094843.tif 000095
【図９４】
2006094843.tif 000096
【図９５】
2006094843.tif 000097
【図９６】
2006094843.tif 000098
【図９７】
2006094843.tif 000099
【図９８】
2006094843.tif 000100
【図９９】
2006094843.tif 000101
【図１００】
2006094843.tif 000102
【図１０１】
2006094843.tif 000103
【図１０２】
2006094843.tif 000104
【図１０３】
2006094843.tif 000105
【図１０４】
2006094843.tif 000106
【図１０５】
2006094843.tif 000107
【図１０６】
2006094843.tif 000108
【図１０７】
2006094843.tif 000109
【図１０８】
2006094843.tif 000110
【図１０９】
2006094843.tif 000111
【図１１０】
2006094843.tif 000112
【図１１１】
2006094843.tif 000113
【図１１２】
2006094843.tif 000114
【図１１３】
2006094843.tif 000115
【図１１４】
2006094843.tif 000116
【図１１５】
2006094843.tif 000117
【図１１６】
2006094843.tif 000118
【図１１７】
2006094843.tif 000119
【図１１８】
2006094843.tif 000120
【図１１９】
2006094843.tif 000121
【図１２０】
2006094843.tif 000122
【図１２１】
2006094843.tif 000123
【図１２２】
2006094843.tif 000124
【図１２３】
2006094843.tif 000125
【図１２４】
2006094843.tif 000126
【図１２５】
2006094843.tif 000127
【図１２６】
2006094843.tif 000128
【図１２７】
2006094843.tif 000129
【図１２８】
2006094843.tif 000130
【図１２９】
2006094843.tif 000131
【図１３０】
2006094843.tif 000132
【図１３１】
2006094843.tif 000133
【図１３２】
2006094843.tif 000134
【図１３３】
2006094843.tif 000135
【図１３４】
2006094843.tif 000136
【図１３５】
2006094843.tif 000137
【図１３６】
2006094843.tif 000138
【図１３７】
2006094843.tif 000139
【図１３８】
2006094843.tif 000140
【図１３９】
2006094843.tif 000141
【図１４０】
2006094843.tif 000142
【図１４１】
2006094843.tif 000143
【図１４２】
2006094843.tif 000144
【図１４３】
2006094843.tif 000145
【図１４４】
2006094843.tif 000146
【図１４５】
2006094843.tif 000147
【図１４６】
2006094843.tif 000148
【図１４７】
2006094843.tif 000149
【図１４８】
2006094843.tif 000150
【図１４９】
2006094843.tif 000151
【図１５０】
2006094843.tif 000152
【図１５１】
2006094843.tif 000153